(57)【要約】  一眼レフデジタルカメラカメラにおいて、画像表示用液晶モニタ上に、本撮影の際の絞り値に即した画像を表示させることができる撮像装置を提供する。絞り込みモードにおいては、クイックリターンミラー（４）を光路内から退避させて撮像センサ（１１）に光を入射させる。そして、撮影光学系が実絞り状態へと制御され、撮像センサ（１１）にて取得された画像データが画像表示用液晶モニタ（１６）に表示されることにより、本撮影の際の絞り値に即した複数の画像、つまり実絞りライブビュー画像を、画像表示用液晶モニタ（１６）に同時並行に表示させることができる。これにより、被写界深度の異なる画像の比較を容易に行うことができると共に、被写界深度の異なる画像を同時に撮影することができる。
2007066629.tif 000002
【特許請求の範囲】
【請求項１】
絞りを有し、被写体からの光を集光する撮像光学系と、
前記撮像光学系からの光を電気信号に変換して撮像画像を取得する撮像部と、
第１の表示領域と第２の表示領域とを含む表示領域を有し、前記撮像部で取得した撮像画像を前記表示領域に表示する画像表示部と、
前記絞りを調整し前記撮像光学系の絞り値を設定する絞り設定部と、
を備え、
前記画像表示部は、前記絞り設定部により前記絞り値が第１の絞り値に設定された場合に、前記撮像部により取得される第１の撮像画像を前記第１の表示領域に表示し、前記絞り設定部により前記絞り値が第２の絞り値に設定された場合に、前記撮像部により取得される第２の撮像画像を前記第２の表示領域に表示することで、前記第１の撮像画像と前記第２の撮像画像との両方を前記表示領域に表示する、
カメラシステム。
【請求項２】
前記第１の撮影画像と前記第２の撮影画像とを記録する画像記録部をさらに備える、
請求項１記載のカメラシステム。
【請求項３】
前記画像記録部は、前記第１の撮影画像が取得されたときの前記絞り値を前記第１の撮像画像と対応づけて記録し、前記第２の撮影画像が取得されたときの前記絞り値を前記第２の撮像画像と対応づけて記録する、
請求項２に記載のカメラシステム。
【請求項４】
前記撮像光学系からの光を観察するための観察光学系と、
前記撮像光学系と前記撮像部との間に設置され、前記撮像光学系からの光を前記観察光学系へ導くための第１の位置と、前記撮像光学系からの光を前記撮像部へ導くための第２の位置とを取り得る可動ミラーと、
前記可動ミラーの位置を前記第１の位置に配置させて撮影する第１の撮影モードと、前記可動ミラーの位置を前記第２の位置に配置させて撮影する第２の撮影モードとを切り換える撮影モード切換部と、
絞り込みモードに設定するための情報が入力される絞り込みモード設定部と、
をさらに備え、
前記絞り込みモード設定部に前記絞り込みモードに設定するための前記情報が入力され、前記絞り込みモード設定部により前記絞り込みモードに設定された場合、
前記絞り設定部は、前記撮影光学系の前記絞り値が前記第１の絞り値となるように前記絞りを調整し、
前記撮影モード切換部は、前記第２の撮影モードに切り換え、
前記画像表示部は、前記撮影部により取得される前記第１の撮像画像を前記第１の表示領域に表示し、
さらに、前記絞り設定部は、前記撮影光学系の前記絞り値が前記第２の絞り値となるように前記絞りを調整し、
前記画像表示部は、前記撮影部により取得される前記第２の撮像画像を前記第２の表示領域に表示する、
請求項１から３のいずれかに記載のカメラシステム。
【請求項５】
前記撮像部、前記観察光学系、前記可動ミラー、前記撮影モード切換部、絞り込みモード設定部、前記画像表示部及び画像記録部を有するカメラ本体と、
前記撮像光学系および前記絞り設定部を有する交換レンズユニットと、
をさらに備える、
請求項４に記載のカメラシステム。
【請求項６】
前記画像表示部は、前記第１の撮像画像を記憶する記憶部を有し、前記第１の表示領域には、前記記憶部で記憶されている前記第１の撮像画像を表示し、前記第２の表示領域には、前記撮像部により取得されている前記撮像画像を表示する、
請求項１から５のいずれかに記載のカメラシステム。
【請求項７】
前記第１の撮像画像は、前記絞りが開放された場合に前記撮像部で取得される撮像画像である、
請求項６に記載のカメラシステム。
【請求項８】
前記画像表示部は、前記第１の表示領域と対応づけられた第３の表示領域と、前記第２の表示領域と対応づけられた第４の表示領域とを含む前記表示領域を有し、
前記第１の表示領域に前記第１の撮像画像を表示するとともに前記第１の撮像画像が取得されたときの前記絞り値を前記第３の表示領域に表示し、
前記第２の表示領域に前記第２の撮像画像を表示するとともに前記第２の撮像画像が取得されたときの前記絞り値を前記第４の表示領域に表示する、
請求項１から７のいずれかに記載のカメラシステム。
【請求項９】
絞りを有し、被写体からの光を集光する撮像光学系と、前記絞りを調整し前記撮像光学系の絞り値を設定する絞り設定部と、を備える交換レンズユニットとともに、カメラシステムに用いられるカメラ本体であって、
前記撮像光学系からの光を電気信号に変換して撮像画像を取得する撮像部と、
前記撮像光学系からの光を観察するための観察光学系と、
前記撮像光学系と前記撮像部との間に設置され、前記撮像光学系からの光を前記観察光学系へ導くための第１の位置と、前記撮像光学系からの光を前記撮像部へ導くための第２の位置とを取り得る可動ミラーと、
前記可動ミラーの位置を前記第１の位置に配置させて撮影する第１の撮影モードと、前記可動ミラーの位置を前記第２の位置に配置させて撮影する第２の撮影モードとを切り換える撮影モード切換部と、
絞り込みモードに設定するための情報が入力される絞り込みモード設定部と、
第１の表示領域と第２の表示領域とを含む表示領域を有し、前記撮像部で取得した撮像画像を前記表示領域に表示する画像表示部と、
前記撮影画像を記録する画像記録部と、
を備え、
前記画像表示部は、前記絞り設定部により前記絞り値が第１の絞り値に設定された場合に、前記撮像部により取得される第１の撮像画像を前記第１の表示領域に表示し、前記絞り設定部により前記絞り値が第２の絞り値に設定された場合に、前記撮像部により取得される第２の撮像画像を前記第２の表示領域に表示することで、前記第１の撮像画像と前記第２の撮像画像との両方を前記表示領域に表示し、
前記画像記録部は、前記第１の撮影画像と前記第２の撮影画像とを記録する、
カメラ本体。
【請求項１０】
絞りを有し、被写体からの光を集光する撮像光学系と、
前記絞りを調整し前記撮像光学系の絞り値を設定する絞り設定部と、
を備え、
撮像光学系からの光を電気信号に変換して撮像画像を取得する撮像部と、前記撮像光学系からの光を観察するための観察光学系と、前記撮像光学系と前記撮像部との間に設置され、前記撮像光学系からの光を前記観察光学系へ導くための第１の位置と、前記撮像光学系からの光を前記撮像部へ導くための第２の位置とを取り得る可動ミラーと、前記可動ミラーの位置を前記第１の位置に配置させて撮影する第１の撮影モードと、前記可動ミラーの位置を前記第２の位置に配置させて撮影する第２の撮影モードとを切り換える撮影モード切換部と、絞り込みモードに設定するための情報が入力される絞り込みモード設定部と、第１の表示領域と第２の表示領域とを含む表示領域を有し、前記撮像部で取得した撮像画像を前記表示領域に表示する画像表示部と、前記撮影画像を記録する画像記録部と、
を備えるカメラ本体とともにカメラシステムに用いられる、
交換レンズユニット。
【請求項１１】
絞りを有し、被写体からの光を集光する撮像光学系と、前記撮像光学系からの光を電気信号に変換して撮像画像を取得する撮像部と、第１の表示領域と第２の表示領域とを含む表示領域を有し、前記撮像部で取得した撮像画像を前記表示領域に表示する画像表示部と、前記絞りを調整し前記撮像光学系の絞り値を設定する絞り設定部と、を備えるカメラシステムにおける撮像方法であって、
前記撮像光学系からの光を電気信号に変換して撮像画像を取得する撮像ステップと、
前記撮像ステップで取得した撮像画像を前記表示領域に表示する画像表示ステップと、
前記絞りを調整し前記撮像光学系の絞り値を設定する絞り設定ステップと、
を有し、
前記画像表示ステップでは、前記絞り設定ステップにより前記絞り値が第１の絞り値に設定された場合に、前記撮像ステップにより取得される第１の撮像画像を前記第１の表示領域に表示し、前記絞り設定ステップにより前記絞り値が第２の絞り値に設定された場合に、前記撮像ステップにより取得される第２の撮像画像を前記第２の表示領域に表示することで、前記第１の撮像画像と前記第２の撮像画像との両方を前記表示領域に表示する、
撮像方法。
【発明の詳細な説明】
【技術分野】
【０００１】
本発明は、カメラシステム、カメラ本体、交換レンズユニット、および撮像方法に関する。特に、絞り値変更機能を有する一眼レフデジタルカメラ等に関する。
【背景技術】
【０００２】
近年、被写体の光学的な像を電気的な画像信号に変換して出力可能な一眼レフデジタルカメラが、急速に普及している。この一眼レフデジタルカメラにおいて、撮影者等によるファインダを用いた被写体観察時には、撮影レンズに入射された光（すなわち被写体像）が、レンズの後の撮影用光路上に配置された反射ミラーで反射されることにより光路が変更され、ペンタプリズム等を通して正立像にされ光学ファインダに導かれることで、撮影者は、レンズを通した被写体像を光学ファインダから見ることができる。したがって通常は、ファインダ用光路が形成される位置が反射ミラーの定位置となっている。
一方、レンズを撮影用として使用する場合は、反射ミラーが瞬時に位置を変え、撮影用光路から待避することで、ファインダ用光路が撮影用光路に切り換えられる。そして、撮影が終了すると、反射ミラーは、定位置に瞬時に戻る。この方式は、一眼レフ方式であれば、従来の銀塩カメラでも、デジタルカメラでも同様である。
デジタルカメラの特徴の一つとして、撮影者が撮影時に表示装置（例えば、画像表示用液晶モニタ）を見ながら撮影し、撮影後にすぐに撮影画像を確認できることが挙げられるが、これまでの一眼レフの反射ミラーの方式をデジタルカメラに用いると、撮影時に、撮影者が画像表示用液晶モニタを使用できないという課題があった。このように、撮影者が画像表示用液晶モニタを用いて撮影できないことにより、ファインダを覗いて撮影することになるため、とりわけ、デジタルカメラの撮影に不慣れな初心者にとっては、非常に使いにくいものになっていた。従って、デジタルカメラにおいて、撮影時にも、撮影者が画像表示用液晶モニタを用いて撮影できる機能が求められており、撮影時にも画像表示用液晶モニタ等の表示装置を用いて撮影できる機能を有する一眼レフデジタルカメラが提案されている（例えば、特許文献１）。
【特許文献１】特開２００１−１２５１７３号公報
【発明の開示】
【０００３】
（発明が解決しようとする課題）
一般に、一眼レフデジタルカメラには、通常のコンパクト・デジタルカメラに比較して大きなサイズの撮像素子が用いられるので、撮像素子上で結像される被写体像において、焦点が合っている領域が少なく、被写界深度が浅い。このため、一眼レフデジタルカメラを用いて撮影する場合、絞りを調整して、被写界深度を確認することが重要となる。
しかしながら、従来の一眼レフ方式のデジタルカメラにおいては、被写界深度の確認は、撮影者がデジタルカメラのファインダを覗くことにより行っていたため、折角、画像表示用液晶モニタを搭載した一眼レフ方式のデジタルカメラにおいても、撮影者が画像表示用液晶モニタを使用して被写界深度の確認をすることができなかった。すなわち、撮影者が画像表示用液晶モニタを用いて、本撮影の際の絞り値にした画像、いわゆる実絞りライブビュー画像を確認できるようなシステムが望まれている。
本発明が解決しようとする課題は、撮影者が画像表示用液晶モニタを見ながら撮影することができ、かつ、本撮影の際の絞り値に即した複数の実絞りライブビュー画像を同時並行に画像表示用液晶モニタにて表示させることで、被写界深度の異なる画像の比較を容易に行うことができるカメラシステム、撮像方法、並びに、そのカメラシステムに用いられるカメラ本体および交換レンズユニットを実現することである。
（課題を解決するための手段）
第１の発明は、撮像光学系と、撮像部と、画像表示部と、絞り設定部と、を備えるカメラシステムである。撮像光学系は、絞りを有し、被写体からの光を集光する。撮像部は、撮像光学系からの光を電気信号に変換して撮像画像を取得する。画像表示部は、第１の表示領域と第２の表示領域とを含む表示領域を有し、撮像部で取得した撮像画像を表示領域に表示する。絞り設定部は、絞りを調整し撮像光学系の絞り値を設定する。そして、画像表示部は、絞り設定部により絞り値が第１の絞り値に設定された場合に、撮像部により取得される第１の撮像画像を第１の表示領域に表示し、絞り設定部により絞り値が第２の絞り値に設定された場合に、撮像部により取得される第２の撮像画像を第２の表示領域に表示することで、第１の撮像画像と第２の撮像画像との両方を表示領域に表示する。
このカメラシステムでは、被写体からの光は、絞りを有する撮像光学系により集光され、撮像部により撮像画像に変換される。変換された撮像画像は、画像表示部により第１の表示領域と第２の表示領域とを含む表示領域に表示される。また、このカメラシステムでは、絞り設定部により撮像光学系の絞り値を設定することができ、絞り設定部により絞り値が第１の絞り値に設定された場合に、撮像部により取得される第１の撮像画像は、画像表示部により第１の表示領域に表示され、絞り設定部により絞り値が第２の絞り値に設定された場合に、撮像部により取得される第２の撮像画像は、画像表示部により第２の表示領域に表示されるので、第１の撮像画像と第２の撮像画像との両方を画像表示部の表示領域に表示させることができる。
これにより、撮影者が画像表示部の表示領域に表示された撮像画像を見ながら撮影することができ、かつ、本撮影の際の絞り値に即した複数の実絞りライブビュー画像を同時並行に画像表示部の表示領域にて表示させることで、被写界深度の異なる撮像画像の比較を容易に行うことができる。
第２の発明は、第１の発明であって、第１の撮影画像と第２の撮影画像とを記録する画像記録部をさらに備える。
これにより、第１の撮影画像と第２の撮影画像とを画像記録部に記録し、保持することができるので、任意のタイミングで画像表示部の表示領域に第１の撮影画像と第２の撮影画像とのいずれか、あるいは両方を表示させることができる。
第３の発明は、第２の発明であって、画像記録部は、第１の撮影画像が取得されたときの絞り値を第１の撮像画像と対応づけて記録し、第２の撮影画像が取得されたときの絞り値を第２の撮像画像と対応づけて記録する。
これにより、画像記録部に記録された撮像画像を撮像したときの絞り値を容易に知ることができる。
第４の発明は、第１から第３のいずれかの発明であって、観察光学系と、可動ミラーと、撮影モード切換部と、絞り込みモード設定部と、をさらに備える。観察光学系は、撮像光学系からの光を観察するためのものである。可動ミラーは、撮像光学系と撮像部との間に設置され、撮像光学系からの光を観察光学系へ導くための第１の位置と、撮像光学系からの光を撮像部へ導くための第２の位置とを取り得る。撮影モード切換部は、可動ミラーの位置を第１の位置に配置させて撮影する第１の撮影モードと、可動ミラーの位置を第２の位置に配置させて撮影する第２の撮影モードとを切り換える。絞り込みモード設定部は、絞り込みモードに設定するための情報が入力されるものである。そして、絞り込みモード設定部に絞り込みモードに設定するための情報が入力され、絞り込みモード設定部により絞り込みモードに設定された場合、絞り設定部は、撮影光学系の絞り値が第１の絞り値となるように絞りを調整し、撮影モード切換部は、第２の撮影モードに切り換え、画像表示部は、撮影部により取得される第１の撮像画像を第１の表示領域に表示する。さらに、絞り設定部は、撮影光学系の絞り値が第２の絞り値となるように絞りを調整し、画像表示部は、撮影部により取得される第２の撮像画像を第２の表示領域に表示する。
このカメラシステムでは、絞り込みモードに設定された場合、絞り設定部は、撮影光学系の絞り値が第１の絞り値となるように絞りを調整し、撮影モード切換部は、第２の撮影モードに切り換え、画像表示部は、撮影部により取得される第１の撮像画像を第１の表示領域に表示し、さらに、絞り設定部は、撮影光学系の絞り値が第２の絞り値となるように絞りを調整し、画像表示部は、撮影部により取得される第２の撮像画像を第２の表示領域に表示する。したがって、本撮影の際の絞り値に即した複数の実絞りライブビュー画像を同時並行に画像表示部の表示領域にて表示させることで、被写界深度の異なる撮像画像の比較を容易に行うことができ、かつ、被写界深度の異なる撮像画像を一度の撮影操作で撮影することができる。
第５の発明は、第４の発明であって、撮像部、観察光学系、可動ミラー、撮影モード切換部、絞り込みモード設定部、画像表示部及び画像記録部を有するカメラ本体と、撮像光学系および絞り設定部を有する交換レンズユニットと、をさらに備える。
これにより、別個の部品であるカメラ本体と、交換レンズユニットとを用いて、カメラシステムを構成することができる。
第６の発明は、第１から第５のいずれかの発明であって、画像表示部は、第１の撮像画像を記憶する記憶部を有し、第１の表示領域には、記憶部で記憶されている第１の撮像画像を表示し、第２の表示領域には、撮像部により取得されている撮像画像を表示する。
これにより、第１の表示領域には、所定の絞り値に対応する撮像画像を表示させながら、第２の表示領域には、別の絞り値に対応する撮像画像を表示させることができるので、撮影者は、絞り値の変化による撮像画像の変化を容易に知ることができる。
第７の発明は、第６の発明であって、第１の撮像画像は、絞りが開放された場合に撮像部で取得される撮像画像である。
これにより、撮影者は、絞りが開放された撮像画像との比較をしながら、絞り値の変化による撮像画像の変化を知ることができる。
第８の発明は、第１から第７のいずれかの発明であって、画像表示部は、第１の表示領域と対応づけられた第３の表示領域と、第２の表示領域と対応づけられた第４の表示領域とを含む表示領域を有し、第１の表示領域に第１の撮像画像を表示するとともに第１の撮像画像が取得されたときの絞り値を第３の表示領域に表示し、第２の表示領域に第２の撮像画像を表示するとともに第２の撮像画像が取得されたときの絞り値を第４の表示領域に表示する。
これにより、撮像画像とその撮像画像が取得されたときの絞り値との関係を画像表示部の表示領域上で容易に確認することができる。
なお、ここで「対応づけられた」とは、対応づける表示領域と対応づけられる表示領域とが画像表示部の表示領域の一定の領域内に存在し、撮影者が画像表示部の表示領域を見ることで容易にその対応づけを確認できる状態をいう。例えば、表示領域の中心部分を左右に分け、左側に第１の撮像画像を表示させ、その上の表示領域を対応づけられた表示領域とし、そこに第１の撮像画像が取得されたときの絞り値を表示させ、右側に第２の撮像画像を表示させ、その上の表示領域を対応づけられた表示領域とし、そこに第２の撮像画像が取得されたときの絞り値を表示させる。
第９の発明は、絞りを有し、被写体からの光を集光する撮像光学系と、絞りを調整し撮像光学系の絞り値を設定する絞り設定部と、を備える交換レンズユニットとともに、カメラシステムに用いられるカメラ本体である。そして、第９の発明は、撮像部と、観察光学系と、可動ミラーと、撮影モード切換部と、絞り込みモード設定部と、撮像光学系からの光を電気信号に変換して撮像画像を取得する撮像部と、撮像光学系からの光を観察するための観察光学系と、画像表示部と、画像記録部と、を備える。観察光学系は、撮像光学系と撮像部との間に設置され、撮像光学系からの光を観察光学系へ導くためのものである。可動ミラーは、第１の位置と、撮像光学系からの光を撮像部へ導くための第２の位置とを取り得る。撮影モード切換部は、可動ミラーの位置を第１の位置に配置させて撮影する第１の撮影モードと、可動ミラーの位置を第２の位置に配置させて撮影する第２の撮影モードとを切り換える。絞り込みモード設定部は、絞り込みモードに設定するための情報が入力されるものである。画像表示部は、第１の表示領域と第２の表示領域とを含む表示領域を有し、撮像部で取得した撮像画像を表示領域に表示する。画像記録部は、撮影画像を記録する。そして、画像表示部は、絞り設定部により絞り値が第１の絞り値に設定された場合に、撮像部により取得される第１の撮像画像を第１の表示領域に表示し、絞り設定部により絞り値が第２の絞り値に設定された場合に、撮像部により取得される第２の撮像画像を第２の表示領域に表示することで、第１の撮像画像と第２の撮像画像との両方を表示領域に表示する。画像記録部は、第１の撮影画像と第２の撮影画像とを記録する。
このカメラ本体では、撮影者が画像表示部の表示領域に表示された撮像画像を見ながら撮影することができ、かつ、本撮影の際の絞り値に即した複数の実絞りライブビュー画像を同時並行に画像表示部の表示領域にて表示させることで、被写界深度の異なる撮像画像の比較を容易に行うことができる。
また、このカメラ本体により、交換レンズユニットとともにカメラシステムを構成するカメラ本体を実現できる。
第１０の発明は、絞りを有し、被写体からの光を集光する撮像光学系と、絞りを調整し撮像光学系の絞り値を設定する絞り設定部と、を備える交換レンズユニットである。そして、第１０の発明は、撮像光学系からの光を電気信号に変換して撮像画像を取得する撮像部と、撮像光学系からの光を観察するための観察光学系と、撮像光学系と撮像部との間に設置され、撮像光学系からの光を観察光学系へ導くための第１の位置と、撮像光学系からの光を撮像部へ導くための第２の位置とを取り得る可動ミラーと、可動ミラーの位置を第１の位置に配置させて撮影する第１の撮影モードと、可動ミラーの位置を第２の位置に配置させて撮影する第２の撮影モードとを切り換える撮影モード切換部と、絞り込みモードに設定するための情報が入力される絞り込みモード設定部と、第１の表示領域と第２の表示領域とを含む表示領域を有し、撮像部で取得した撮像画像を表示領域に表示する画像表示部と、撮影画像を記録する画像記録部と、を備えるカメラ本体とともにカメラシステムに用いられる。
この交換レンズユニットでは、カメラ本体とともにカメラシステムを構成することができ、この交換レンズユニットを用いたカメラシステムでは、撮影者が画像表示部の表示領域に表示された撮像画像を見ながら撮影することができ、かつ、本撮影の際の絞り値に即した複数の実絞りライブビュー画像を同時並行に画像表示部の表示領域にて表示させることで、被写界深度の異なる撮像画像の比較を容易に行うことができる。
第１１の発明は、絞りを有し、被写体からの光を集光する撮像光学系と、撮像光学系からの光を電気信号に変換して撮像画像を取得する撮像部と、第１の表示領域と第２の表示領域とを含む表示領域を有し、撮像部で取得した撮像画像を表示領域に表示する画像表示部と、絞りを調整し撮像光学系の絞り値を設定する絞り設定部と、を備えるカメラシステムにおける撮像方法である。そして、第１１の発明は、撮像光学系からの光を電気信号に変換して撮像画像を取得する撮像ステップと、撮影ステップで取得した撮像画像を表示領域に表示する画像表示ステップと、絞りを調整し撮像光学系の絞り値を設定する絞り設定ステップと、を有する。画像表示ステップでは、絞り設定ステップにより絞り値が第１の絞り値に設定された場合に、撮像ステップにより取得される第１の撮像画像を第１の表示領域に表示し、絞り設定ステップにより絞り値が第２の絞り値に設定された場合に、撮像ステップにより取得される第２の撮像画像を第２の表示領域に表示することで、第１の撮像画像と第２の撮像画像との両方を表示領域に表示する。
この撮像方法では、被写体からの光は、絞りを有する撮像光学系により集光され、撮像部により撮像画像に変換される。変換された撮像画像は、画像表示部により第１の表示領域と第２の表示領域とを含む表示領域に表示される。また、この撮像方法では、絞り設定ステップにより撮像光学系の絞り値を設定することができ、絞り設定ステップにより絞り値が第１の絞り値に設定された場合に、撮像ステップにより取得される第１の撮像画像は、画像表示ステップにより第１の表示領域に表示され、絞り設定ステップにより絞り値が第２の絞り値に設定された場合に、撮像ステップにより取得される第２の撮像画像は、画像表示ステップにより第２の表示領域に表示されるので、第１の撮像画像と第２の撮像画像との両方を画像表示部の表示領域に表示させることができる。
これにより、撮影者が画像表示部の表示領域に表示された撮像画像を見ながら撮影することができ、かつ、本撮影の際の絞り値に即した複数の実絞りライブビュー画像を同時並行に表示させることで、被写界深度の異なる撮像画像の比較を容易に行うことができる。
（発明の効果）
本発明によれば、撮影者が画像表示用液晶モニタを見ながら撮影することができ、かつ、本撮影の際の絞り値に即した複数の実絞りライブビュー画像を同時並行に画像表示用液晶モニタにて表示させることで、被写界深度の異なる画像の比較を容易に行うことができるカメラシステム、撮像方法、並びに、そのカメラシステムに用いられるカメラ本体および交換レンズユニットを実現することできる。
【図面の簡単な説明】
【０００４】
【図１】本発明の第１実施形態に係る交換レンズユニットとデジタルカメラ本体の制御システムを示すブロック図
【図２】本発明の第１実施形態に係るファインダ撮影モードを説明する概念図
【図３】本発明の第１実施形態に係るモニタ撮影モードを説明する概念図
【図４】本発明の第１実施形態に係るデジタルカメラの上面図
【図５】本発明の第１実施形態に係るデジタルカメラの背面図
【図６】（ａ）は、本発明の第１実施形態に係る絞りリングの外周面の展開図、（ｂ）は、本発明の第１実施形態に係る絞りリングの内周面の展開図
【図７】本発明の第１実施形態に係る絞りリングと絞りリニアセンサの結合を示す部分断面図
【図８】（ａ）は、本発明の第１実施形態のレンズ鏡筒の絞りリニアセンサの回路図、（ｂ）は、本発明の第１実施形態のレンズ鏡筒の絞りリニアセンサの出力を表すグラフ
【図９】本発明の第１実施形態に係る絞りリングの回転角度と絞りリニアセンサの出力値の関係を示すグラフ
【図１０】本発明の第１実施形態に係るデジタルカメラ内の制御システムを示すブロック図
【図１１】本発明の第１実施形態に係る交換レンズユニット内の制御システムを示すブロック
【図１２】本発明の第１実施形態に係る絞り込みモードを説明するフローチャート
【図１３】本発明の第１実施形態に係る画像表示用液晶モニタに実絞りライブビュー画像を示す図
【図１４】本発明の実施の形態２に係る絞り込みモードにおける連写モードを説明するフローチャート
【図１５】本発明の他の実施形態に係る画像表示用液晶モニタに実絞りライブビュー画像を示す図
【符号の説明】
【０００５】
Ｌ  撮像光学系
Ｄｆ  焦点ずれ量
Ｘ  光路
１  デジタルカメラ
２  交換レンズユニット
４  クイックリターンミラー
９  ファインダ接眼窓
１０  シャッターユニット
１１  撮像センサ
１２  ボディーマイコン
１４  シャッター制御部
１５  画像表示制御部
１６  画像表示用液晶モニタ
１８  画像読み出し／記録部（画像記録部）
２０  レンズマイコン
２１  レンズマウント
２３  ボディーマウント
２５  フォーカスレンズ群
２７  絞り制御部
２８  絞りユニット
２８ａ  絞り羽根
２８ｂ  絞り駆動モータ
３０  レリーズボタン
３１  シャッタースピード設定ダイヤル
３３  指標
３８  ズームリング
３９  フォーカスリング
４０  絞りリング
４１  絞りリニアセンサ
６０  クイックリターンミラー制御部
６１  クイックリターンミラー駆動モータ
６２  ズーム制御部
６５  フォーカス駆動モータ
７１  撮影／再生モード切り替えレバー
７２  ＭＥＮＵボタン
７５  撮影モード切り替えボタン
７６  絞り込みモードボタン
【発明を実施するための最良の形態】
【０００６】
［第１実施形態］
以下図面を参照しながら本発明の実施の形態について説明する。
＜1：カメラシステムの全体構成＞
本発明の第１実施形態に係るカメラシステム１００について説明する。図１に本発明の第１実施形態に係るカメラシステム１００の全体構成図を示す。
図１に示すカメラシステム１００は、交換レンズ式の一眼レフデジタルカメラシステムである。カメラシステム１００は、カメラ本体１と交換レンズユニット２とから構成される。
また、カメラシステム１００と交換レンズユニット２とは、それぞれに設けられた交換レンズユニット２側のレンズマウント２１の電気切片２２（図示せず）と、カメラシステム１００側のボディーマウント２３の電気切片２４（図示せず）とを介して、各種の制御信号の通信を行う。
（１．１：交換レンズユニットの構成）
交換レンズユニット２は、主に、カメラシステム１００内の撮像センサ１１に被写体像を結ぶための撮像光学系Ｌと、撮像光学系Ｌの絞りを調整するための絞り設定部と、交換レンズユニット２の各種シーケンスを制御するレンズマイコン２０とから構成される。
交換レンズユニット２は、レンズマウント２１を有し、カメラ本体１のボディ前面に設けられたボディーマウント２３に着脱可能に装着される。
着脱可能な交換レンズユニット２は、カメラシステム１００内の撮像センサ１１に被写体像を結ぶための撮像光学系Ｌを有する。また、交換レンズユニット２内の各種シーケンスをコントロールし、各種レンズ情報を保持しているレンズマイコン２０が搭載されている。交換レンズユニット２内には、フォーカスレンズ群２５を駆動制御するフォーカス制御部２６が搭載されている。さらに、絞りユニット２８を制御する絞り制御部２７が搭載されている。
撮像光学系Ｌは、主に、フォーカスレンズ群２５と、絞りユニット２８とから構成される。
絞り設定部は、主に、撮影者が回転操作することで絞り値を入力することができる絞りリング４０と、絞りリング４０の回転角度に応じた物理量を出力する絞りリニアセンサ４１と、絞り羽根を駆動する絞り駆動モータ２８ｂと、設定された絞り値となるように絞りを調整する絞り制御部２７とから構成される。
レンズマイコン２０は、交換レンズユニット２の中枢を司る制御装置であり、交換レンズユニット２に搭載された各部に接続されており、交換レンズユニット２の各種シーケンスの制御を行う。レンズマイコン２０には、例えば、ＣＰＵ、メモリ６９が搭載されており、メモリ６９に格納されたプログラムがＣＰＵに読み込まれることで、様々な機能を実現することができる。レンズマイコン２０は、フォーカス制御部２６、絞り制御部２７、シフト制御部４７等に対し、命令（例えば、制御信号やコマンド）を出力することで、フォーカス制御部２６、絞り制御部２７、シフト制御部４７等にそれぞれの制御を実行させる。また、レンズマイコン２０は、ボディーマイコン１２とインターフェースを介して接続され、ボディーマイコン１２とマイコン間通信を行う。
（１．２：カメラ本体の構成）
カメラ本体１は、主に、被写体からの光の経路を変更するクイックリターンミラー４と、被写体像を視認するためのファインダ光学系１９と、焦点検出を行う焦点検出用ユニット５と、シャッターの開閉動作を行うシャッターユニット１０と、被写体像を撮影画像として取得する撮像部と、撮像画像を表示する画像表示部と、撮影モードを切り換える撮影モード切換部と、絞り込みモードに設定するための絞り込みモード設定部と、シャッターユニット１０の制御を行うシャッター制御部１４と、撮像画像を記録する画像記録部１８と、カメラ本体１の各種シーケンスの制御を行うボディーマイコン１２とから構成されている。
なお、ファインダ光学系１９が観察光学系をなし、クイックリターンミラー４が可動ミラーをなし、撮影モード切り換えボタンおよびボディーマイコンが撮影モード切換部をなし、絞り込みモードボタンおよびボディーマイコンが絞り込みモード設定部をなす。交換レンズユニット２を通過した被写体光は、クイックリターンミラー４のメインミラー４ａにより２つの光束（反射光束および透過光束）に分割され、反射光束は、ファインダ光学系１９へ導かれる。一方、透過光束は、クイックリターンミラー４の背面側に設けられたサブミラー４ｂで反射されて、焦点検出用ユニット５のＡＦ用光束として利用される。この焦点検出用ユニット５は、一般的には、位相差検出方式が使用される。
メインミラー４ａで反射された光束は、ファインダースクリーン６上に結像される。ファインダースクリーン６上に結像された被写体像は、ペンタプリズム７および接眼レンズ８を介してファインダ接眼窓９から観察することができる。
カメラシステム１００内には、各種シーケンスをコントロールするボディーマイコン１２が搭載されている。撮像センサ制御部１３は、撮像センサ１１の駆動制御を行う。シャッター制御部１４は、シャッターユニット１０の駆動制御を行う。画像表示用の画像表示制御部１５は、撮像センサ１１より画像データを読み出し、所定の画像処理を行った後、画像表示用液晶モニタ１６へ撮影画像を表示するよう制御する。また、画像記録制御部１７は、図示せぬＳＤカードなどの記録媒体に対して、画像読み出し／記録部１８（以下、「画像記録部１８」という。）を介して、撮影画像の読み書きを行う。
クイックリターンミラー４は、主に、入射光を反射および透過可能なメインミラー４ａと、メインミラー４ａの背面側に設けられメインミラー４ａからの透過光を反射するサブミラー４ｂとから構成されており、クイックリターンミラー制御部６０により光路Ｘ外に跳ね上げが可能である。クイックリターンミラー４は、図２に示す位置と、図３に示す位置とを移動可能に設置されている。また、メインミラー４ａにより、入射光は、２つの光束に分割され、反射光束はファインダ光学系１９へ導かれ、透過光束は、サブミラー４ｂで反射されて、焦点検出用ユニット５に導かれる。
ファインダ光学系１９は、主に、被写体像が結像されるファインダースクリーン６と、被写体像を正立像に変換するペンタプリズム７と、被写体の正立像をファインダ接眼窓９に導く接眼レンズ８と、撮影者が被写体像を観察するファインダ接眼窓９とから構成されている。
焦点検出用ユニット５は、サブミラー４ｂからの反射光により、被写体からの光による結像が合焦状態にあるか否かを検知する（焦点を検出する）ユニットで、例えば、一般的な位相差検出方式によって、焦点検出を行う。
撮像部は、主に、光電変換を行うＣＣＤなどの撮像センサ１１と、撮像センサ１１を制御する撮像センサ制御部１３とから構成され、被写体像を撮影画像として取得する。撮像部により、入射光による被写体像が、撮影画像を形成する電気信号に変換される。
画像表示部は、画像表示用液晶モニタ１６と、画像表示用液晶モニタ１６の動作を制御する画像表示制御部１５とから構成されている。画像表示用液晶モニタ１６は、第１の表示領域Ｒ１３１と第２の表示領域Ｒ１３２とを含む表示領域Ｒ１３０を有し、撮像部で取得した撮像画像を表示領域Ｒ１３０に表示する。
画像記録部１８は、例えば、図示せぬカード型記録媒体に対して撮影画像の記録および再生を行う。画像記録部１８は、画像記録部１８の動作を制御する画像記録制御部１７により制御される。
ボディーマイコン１２は、カメラ本体１の中枢を司る制御装置であり、各種シーケンスの制御を行う。ボディーマイコン１２には、例えば、ＣＰＵ、ＲＯＭ、ＲＡＭが搭載されており、ＲＯＭに格納されたプログラムがＣＰＵに読み込まれることで、ボディーマイコン１２は様々な機能を実現することができる。ボディーマイコン１２は、シャッター制御部１４、撮像センサ制御部１３、画像表示制御部１５、画像記録制御部１７等に対し、命令（例えば、制御信号やコマンド）を出力することで、シャッター制御部１４、撮像センサ制御部１３、画像表示制御部１５、画像記録制御部１７等にそれぞれの制御を実行させる。また、ボディーマイコン１２は、レンズマイコン２０とインターフェースを介して接続され、レンズマイコン２０とマイコン間通信を行う。
（１．３：ファインダ撮影モードとモニタ撮影モード）
このカメラシステム１００は、２つの撮影モードを有する。１つ目は、撮影者等がファインダ接眼窓９を観察しながら撮影するファインダ撮影モードであり、従来の一眼レフカメラにおける通常の撮影モードである。
このファインダ撮影モードにおいては、図２に示すように、クイックリターンミラー４は、光路Ｘ内の所定位置に配置されており、被写体光は、ファインダ光学系１９に導かれるので、撮影者等は、ファインダ接眼窓９から被写体像を観察することができる。実際の撮影時には、クイックリターンミラー４が光路Ｘ外に跳ね上げられるとともに、シャッターユニット１０が開かれて撮像センサ１１の撮像面上に被写体像が結像される。
一方、２つ目のモニタ撮影モードにおいては、図３に示すように、クイックリターンミラー４を光路Ｘ内から退避させる。よって、画像表示用液晶モニタ１６には、撮像センサ１１を介して被写体の画像、いわゆるスルー画像が表示される。
（１．４：交換レンズユニットの上面の構成）
図４は、本発明の第１実施形態に係る交換レンズユニット２を取り付けたカメラシステム１００の上面図である。なお、図４に示すように、Ｘ軸、Ｙ軸およびＺ軸をとる（撮像光学系Ｌを構成するレンズの光軸と平行にＺ軸をとる）。
カメラシステム１００は、被写体を撮影する際に撮影者等により支持される筐体を有する。このカメラシステム１００は、レリーズボタン３０と、シャッタースピード設定ダイヤル３１とを含む。レリーズボタン３０と、シャッタースピード設定ダイヤル３１とは、デジタルカメラ本体１の上面の右側に設けられている。
シャッタースピード設定ダイヤル３１は、回転操作することにより、シャッタースピードの設定を行う操作部材である。また、シャッタースピード設定ダイヤル３１は、シャッタースピードが自動設定されるオートの位置を有する。
また、カメラシステム１００本体は、画像表示用液晶モニタ１６を含む。画像表示用液晶モニタ１６は、カメラシステム１００本体の撮影者等側の面に設けられている。画像表示用液晶モニタ１６の作用については後述する。
交換レンズユニット２は、最も被写体側（Ｚ軸方向正側）に、フィルタマウント３７を持つ。交換レンズユニット２は、フィルタマウント３７からカメラシステム１００本体側へ（Ｚ軸の負の方向）向けて順に、ズームリング３８と、フォーカスリング３９と、絞りリング４０とを有する。ズームリング３８と、フォーカスリング３９と、絞りリング４０とは、いずれも円筒状の回転操作部材であり、交換レンズユニット２の外周面において回転可能に配置されている。
（１．５：カメラ本体の背面の構成）
図５は、本発明の第１実施形態に係るカメラシステム１００の背面図である。カメラシステム１００本体は、電源ボタン７０、撮影／再生モード切り替えレバー７１、ＭＥＮＵボタン７２、十字操作キー７３、ＳＥＴボタン７４、及び絞り込みモードボタン７６を含む。
電源ボタン７０は、カメラシステム１００の電源のＯＮ／ＯＦＦを行う操作部材である。撮影／再生モード切り替えレバー７１は、レバーの切り替えを行うことにより、撮影モードと再生モードとの切り替えを行う操作部材である。ここで、撮影モードとは、カメラシステム１００において、被写体を新たに撮影して画像信号にするために設定されるモードである。また、再生モードとは、カメラシステム１００において、既に撮影して格納されている画像信号を表示させるために設定されるモードである。
ＭＥＮＵボタン７２は、画像表示用液晶モニタ１６に、各種操作メニューを表示させるための操作部材である。十字操作キー７３は、上下、左右の矢印キーを有し、各種操作メニューの表示項目を選択するための操作部材である。ＳＥＴボタン７４は、各種操作メニューの表示項目を確定するための操作部材である。
絞り込みボタン７６は、後述する絞り込みモードへ移行させるためのボタンである。カメラシステム１００では、撮影者がこの絞り込みボタン７６を押すことにより、絞り込みモードへと移行される。
（１．６：絞りについて）
絞りリング４０は、円筒形状である。図６（ａ）は、本発明の第１実施形態に係る絞りリングの外周面の展開図、図６（ｂ）は、本発明の第１実施形態に係る絞りリングの内周面の展開図である。
図４および図６（ａ）に示すように、絞りリング４０の外周面には、絞り値が表示されている。絞り値の表示領域は、２つの領域に分かれている。図６（ａ）中、「２」から「１１」までの１ＡＶ（Ａｐｅｒｔｕｒｅ  Ｖａｌｕｅ）ごとの表示部分がマニュアル領域の絞り値に対応する。また、図６（ａ）中、「Ａ」の表示部分がオート領域の絞り値に対応する。図４および図６（ｂ）に示すように、絞りリング４０は、内周面に直線のカム溝４２を持つ。なお、絞り値については、１ＡＶごとの選択に限定されるものではない。
また、交換レンズユニット２は、その内部に絞りユニット２８を有する。絞りユニット２８は、内部に絞り羽根（図示せず）を駆動するための絞り駆動モータ２８ｂを含む。絞り駆動モータ２８ｂは、後述する制御により、絞りリング４０の回転角度に応じて絞り羽根を駆動する。この絞り羽根が駆動されることにより、撮像光学系Ｌの絞り値が変更される。
図７は、本発明の第１実施形態に係る絞りリング４０と絞りリニアセンサ４１との結合を示す部分断面図である。絞りリニアセンサ４１は、絞りリング４０の半径方向外側に突出する円筒形状の摺動子４１ａを含む。絞りリング４０に形成されたカム溝４２は、絞りリニアセンサ４１の摺動子４１ａと結合する。
この絞りリニアセンサ４１は、主に、図８（ａ）に示すように可変抵抗器を有する回路により構成される。図８（ａ）における端子Ｔ２は、図７の摺動子４１ａに接続されており、端子Ｔ２およびＴ３は、図７の絞りリニアセンサの両端部４１ｂおよび４１ｃにそれぞれ接続されている。端子Ｔ１，Ｔ３間に所定の電圧を印可すると、絞りリニアセンサ４１に設けられた円筒状の摺動子４１ａが、絞りリニアセンサ４１内にある磁気抵抗体（図示せず）上をスライドすることにより、端子Ｔ２の出力（出力電圧）は、図８（ｂ）に示すようにリニアに変化する。
図９は、本発明の第１実施形態に係る絞りリング４０の回転角度と絞りリニアセンサ４１の出力値（出力電圧値）との関係を示すグラフである。図４および図６において、絞りリング４０を回転させて、絞りリング４０上の文字「２」が表示されている位置を、指標３３の位置と一致させた場合、絞りリニアセンサ４１の摺動子４１ａは、カム溝４２上のＰの位置にある。その場合、絞りリニアセンサ４１の出力値（出力電圧値）は、Ｐ‘となる。つまり、絞りリング４０上の文字「２」が表示されている位置を指標３３の位置と一致させた場合の絞りリング４０の回転角度に対応する、絞りリニアセンサ４１の出力電圧値は、Ｐ’となる。
同様に、絞りリング４０を回転させて、絞りリング４０上の文字「２．８」、「４」、「５．６」、「８」、「１１」および「Ａ」が表示されている位置を、指標３３の位置と一致させた場合、絞りリニアセンサ４１の摺動子４１ａのカム溝４２上の位置は、それぞれ、Ｑ、Ｒ、Ｓ、Ｔ、ＵおよびＶの位置にある。その場合、絞りリニアセンサ４１の出力値（出力電圧値）は、それぞれ、Ｑ‘、Ｒ’、Ｓ’、Ｔ’、Ｕ’およびＶ’となる。つまり、絞りリング４０上の文字「２．８」、「４」、「５．６」、「８」、「１１」および「Ａ」が表示されている位置を指標３３の位置と一致させた場合の絞りリング４０の回転角度に対応する、絞りリニアセンサ４１の出力電圧値は、それぞれ、Ｑ‘、Ｒ’、Ｓ’、Ｔ’、Ｕ’およびＶ’となる。
このように、絞りリニアセンサ４１は、絞りリング４０の回転角度と一対一で対応する出力（出力電圧値）を示す。したがって、絞りリニアセンサ４１により、絞りリング４０の回転角度を検出することができる。絞りリニアセンサ４１は、回転角度に応じた絞り値信号を電圧変化として出力する。
（１．７：カメラ本体の制御システム）
図１０は、本発明の第１実施形態に係るカメラシステム１００の制御システムを示すブロック図である。
ボディーマイコン１２は、レリーズボタン３０と、シャッタースピード設定ダイヤル３１と、撮影／再生モード切り替えレバー７１と、ＭＥＮＵボタン７２と、十字操作キー７３と、ＳＥＴボタン７４と、撮影モード切り替えボタン７５と、絞り込みモードボタン７６とから信号を受信可能である。また、ボディーマイコン１２は、シャッター制御部１４およびクイックリターンミラー制御部６０へ信号を送信可能である。さらに、ボディーマイコン１２は、ボディーマイコン１２と画像記録制御部１７との間の双方向通信、ボディーマイコン１２と画像表示制御部１５と間の双方向通信、およびボディーマイコン１２とデジタル信号処理部５３との間の双方向通信を行うことができる。また、ボディーマイコン１２は、信号を格納するメモリ６８を持つ。
シャッター制御部１４は、ボディーマイコン１２からの制御信号に基づいてシャッター駆動モータ１０ａを駆動する。クイックリターンミラー制御部６０は、ボディーマイコン１２からの制御信号に基づき、クイックリターンミラー駆動モータ６１を駆動する。
レリーズボタン３０は、ボディーマイコン１２へシャッタータイミングを示す情報を送信する。シャッタースピード設定ダイヤル３１は、設定されたシャッタースピード情報及びシャッターモード情報を送信する。
撮像センサ１１は、ＣＣＤ（Ｃｈａｒｇｅ  Ｃｏｕｐｌｅｄ  Ｄｅｖｉｃｅ）等により構成される。撮像センサ１１は、交換レンズユニット２の撮像光学系Ｌにより形成される光学的な像を電気的な画像信号に変換する。撮像センサ１１は、撮像センサ制御部１３により駆動制御される。撮像センサ１１から出力される画像信号は、アナログ信号処理部５１と、Ａ／Ｄ変換部５２と、デジタル信号処理部５３と、バッファメモリ５４と、画像圧縮部５６とにより、順に処理される。
画像信号は、撮像センサ１１から、アナログ信号処理部５１へ送信される。アナログ信号処理部５１は、撮像センサ１１が出力する画像信号に、ガンマ処理等のアナログ信号処理を施す。アナログ信号処理部５１から出力された画像信号は、Ａ／Ｄ変換部５２へ送信される。Ａ／Ｄ変換部５２は、アナログ信号処理部５１から出力されたアナログ画像信号をデジタル信号に変換する。
Ａ／Ｄ変換部５２から出力された画像信号は、デジタル信号処理部５３へ送信される。デジタル信号処理部５３は、Ａ／Ｄ変換部５２によりデジタル信号に変換された画像信号に対して、ノイズ除去や輪郭強調等のデジタル信号処理を施す。デジタル信号処理部５３から出力された画像信号は、バッファメモリ５４へ送信される。バッファメモリ５４は、デジタル信号処理部５３により処理された画像信号を一旦記憶する。バッファメモリ５４は、ＲＡＭ（Ｒａｎｄｏｍ  Ａｃｃｅｓｓ  Ｍｅｍｏｒｙ）等により構成される。
バッファメモリ５４から出力された画像信号は、画像記録制御部１７からの指令に従って、画像圧縮部５６に送信される。画像圧縮部５６は、画像記録制御部１７の指令に従って画像信号に圧縮処理を行う。画像信号は、この圧縮処理により、元のデータより小さなデータサイズになる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式等が用いられる。
圧縮された画像信号は、画像圧縮部５６から画像記録部１８及び画像表示用液晶モニタ１６へ送信される。一方、ボディーマイコン１２は、画像記録制御部１７及び画像表示制御部１５へ制御信号を送信する。画像記録制御部１７は、ボディーマイコン１２からの制御信号に基づいて画像記録部１８を制御する。画像表示制御部１５は、ボディーマイコン１２からの制御信号に基づいて画像表示用液晶モニタ１６を制御する。
画像記録部１８は、画像記録制御部１７の指令に基づいて、画像信号を内部メモリ及び／又はリムーバブルメモリに記録する。画像記録部１８は、画像記録制御部１７の指令に基づいて、画像信号とともに記憶すべき情報を、内部メモリ及び／又はリムーバブルメモリに記録する。画像信号とともに記憶すべき情報は、画像を撮影した際の日時，焦点距離情報，シャッタースピード情報，絞り値情報および撮影モード情報を含む。
画像表示用液晶モニタ１６は、画像表示制御部１５の指令に基づいて、画像信号を可視画像として表示する。画像表示用液晶モニタ１６は、画像表示制御部１５の指令に基づいて、画像信号とともに表示すべき情報を、表示する。画像信号とともに表示すべき情報は、焦点距離情報，シャッタースピード情報，絞り値情報，撮影モード情報および合焦状態情報の表示を含む。
また、画像表示用液晶モニタ１６は、画像表示制御部１５の指令に基づいて、所定の撮影／再生モードにおいて、撮影者等により設定されるべき設定画面を表示する。
撮影者等が撮影する場合には、電源ボタン７０をＯＮにし、撮影／再生モード切り替えレバー７１を撮影モードに合わせる。これによりカメラシステム１００本体の電源が入り、画像表示用液晶モニタ１６には、撮像センサ１１により電気的な画像信号に変換された被写体が可視画像として、画像表示制御部１５の指令に基づいて表示される。
カメラシステム１００が撮影モードにある状態において、撮影者等がＭＥＮＵボタン７２を押すと、画像表示用液晶モニタ１６は、画像表示制御部１５の指令に基づき、撮影モードにおいて撮影者等により変更可能な設定の項目を、アイコン化した設定メニュー画像として表示する。
（１．８：交換レンズユニットの制御システム）
図１１は、本発明の第１実施形態に係る交換レンズユニット２内の制御システムを示すブロック図である。
レンズマイコン２０は、レンズマイコン２０とズーム制御部６２との間の双方向通信、レンズマイコン２０とフォーカス制御部２６と間の双方向通信、およびレンズマイコン２０と絞り制御部２７との間の双方向通信を行うことができる。
ズーム制御部６２は、ズームリニアセンサ６００から、Ａ／Ｄ変換部６０１を介して、信号を受信可能である。ズーム制御部６２は、ズームリニアセンサ６００により検出されたズームリング３８の回転量を撮像光学系Ｌの焦点距離情報に変換する。ズーム制御部６２は、焦点距離情報をレンズマイコン２０へ送信する。
フォーカス制御部２６は、フォーカスリニアセンサ６３から信号を受信可能であり、Ａ／Ｄ変換部６４を介して、フォーカス駆動モータ６５へ信号を送信可能である。フォーカス制御部２６は、フォーカスリニアセンサ６３により検出され、Ａ／Ｄ変換部６４によりデジタル化されたフォーカスリング３９の回転角度より、フォーカスモードを判断する。フォーカス制御部２６は、判断した結果をレンズマイコン２０へ送信する。フォーカス制御部２６は、レンズマイコン２０からの指令に基づいてフォーカスリング３９の回転角度より検出した物点距離情報を、レンズマイコン２０へ送信する。フォーカス制御部２６は、レンズマイコン２０からの制御信号に基づいてフォーカス駆動モータ６５を駆動する。
絞り制御部２７は、絞りリニアセンサ４１から信号を受信可能であり、Ａ／Ｄ変換部６７を介して、絞り駆動モータ２８ｂへ信号を送信可能である。絞り制御部２７は、絞りリニアセンサ４１により検出され、Ａ／Ｄ変換部６７によりデジタル化された絞りリング４０の回転角度により、絞りモードを判断する。絞り制御部２７は、判断した結果をレンズマイコン２０へ送信する。絞り制御部２７は、レンズマイコン２０からの指令に基づいて絞りリング４０の回転角度より検出した絞り値情報を、レンズマイコン２０に送信する。絞り制御部２７は、レンズマイコン２０からの制御信号に基づいて絞り駆動モータ２８ｂを駆動する。
＜２：カメラシステムの動作＞
（２．１：カメラシステム１００の撮影動作（ファインダ撮影モード））
次に、カメラシステム１００の撮影動作について説明する。まず、図１、図２、図１０および図１１に基づき、撮影者等が、ファインダ接眼窓９を覗いて撮影するファインダ撮影モードにおける駆動シーケンスについて説明する。
撮影者等のレリーズボタン３０の半押し動作により、カメラシステム１００内のボディーマイコン１２および各種ユニットには、電源が供給される。電源供給により起動するカメラシステム１００内のボディーマイコン１２は、同じく電源供給で起動する交換レンズユニット２内のレンズマイコン２０より、レンズマウント２１およびボディーマウント２３を介して、各種レンズデータを受け取り、内蔵するメモリ６８に保存する。次に、ボディーマイコン１２は、焦点検出用ユニット５より、焦点ずれ量（以後、「Ｄｆ量」という）を取得し、そのＤｆ量分、フォーカスレンズ群２５を駆動するようレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動とを繰り返すうち、Ｄｆ量は小さくなり、所定量以下になったときにボディーマイコン１２により合焦と判断され、フォーカスレンズ群２５の駆動が停止される。
この後、ボディーマイコン１２は、撮影者によりレリーズボタン３０が全押しされると、レンズマイコン２０に対して、絞り値を不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部６０により、クイックリターンミラー４を光路Ｘ内から退避させる。クイックリターンミラー４の退避完了後、撮像センサ制御部１３は、撮像センサ１１の駆動を指示し、シャッターユニット１０の動作を指示する。なお、撮像センサ制御部１３は、不図示の測光センサからの出力に基づいて計算されたシャッタースピードの時間だけ、撮像センサ１１を露光する。
露光完了後、撮像センサ制御部１３により撮像センサ１１から読み出された画像データは、所定の画像処理を実行された後、画像表示用液晶モニタ１６に撮影画像として表示される。また、撮像センサ１１から読み出され、所定の画像処理を実行された画像データは、画像読み出し／記録部１８を介して、記憶媒体に画像データとして書き込まれる。また、露光終了後、クイックリターンミラー４とシャッターユニット１０とは、初期位置にリセットされる。ボディーマイコン１２は、レンズマイコン２０へ、絞りを開放位置にリセットするよう指示し、レンズマイコン２０は、各ユニットに対してリセット命令を行う。リセット完了後、レンズマイコン２０は、ボディーマイコン１２にリセット完了を伝える。ボディーマイコン１２は、レンズマイコン２０からのリセット完了情報と露光後の一連処理の完了を待ち、その後、レリーズボタン３０の状態が、押し込みされていない状態であることを確認し、撮影シーケンスを終了させる。
（２．２：モニタ撮影モードの動作）
次に、図１、図３、図１０および図１１に基づき、撮影者等が画像表示用液晶モニタ１６を用いて撮影するモニタ撮影モードにおける駆動シーケンスについて説明する。
画像表示用液晶モニタ１６を用いて撮影する場合、撮影者は、撮影モード切り替えボタン７５を操作して、モニタ撮影モードに設定する。モニタ撮影モードに設定されると、ボディーマイコン１２は、クイックリターンミラー４を光路Ｘ内から退避させる。これにより、被写体からの光が撮像センサ１１に達するので、撮像センサ１１は、撮像センサ１１上に結像される被写体からの光を画像データに変換し、画像データとして取得し、出力することができる。撮像センサ制御部１３により撮像センサ１１から読み出された画像データは、所定の画像処理を実行された後、画像表示用液晶モニタ１６に撮影画像として表示される。このように、撮影画像を画像表示用液晶モニタ１６に表示させることにより、撮影者等は、ファインダ接眼窓９を覗くことなく、被写体を追いかけることが可能となる。
次に、撮影者等のレリーズボタン３０の半押し動作により、カメラシステム１００のボディーマイコン１２は、交換レンズユニット２内のレンズマイコン２０より、レンズマウント２１およびボディーマウント２３を介して、各種レンズデータを受け取り、内蔵するメモリ６８に保存する。次に、ボディーマイコン１２は、クイックリターンミラー制御部６０により、クイックリターンミラー４を光路Ｘ内の所定位置に戻し、焦点検出用ユニット５より、Ｄｆ量を取得し、そのＤｆ量分、フォーカスレンズ群２５を駆動するようにレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動とを繰り返すうち、Ｄｆ量は小さくなり、所定量以下になったときにボディーマイコン１２により合焦と判断され、フォーカスレンズ群２５の駆動が停止される。
この後、ボディーマイコン１２は、撮影者によりレリーズボタン３０が全押しされると、レンズマイコン２０に対して、絞り値を不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部６０により、クイックリターンミラー４を光路Ｘ内から退避させる。クイックリターンミラー４の退避完了後、撮像センサ制御部１３は、撮像センサ１１の駆動を指示し、シャッターユニット１０の動作を指示する。なお、撮像センサ制御部１３は、不図示の測光センサからの出力に基づいて計算されたシャッタースピードの時間だけ、撮像センサ１１を露光する。
露光完了後、撮像センサ制御部１３により撮像センサ１１から読み出された画像データは、所定の画像処理を実行された後、画像表示用液晶モニタ１６に撮影画像として表示される。また、撮像センサ１１から読み出され、所定の画像処理を実行された画像データは、画像読み出し／記録部１８を介して、記憶媒体に画像データとして書き込まれる。また、露光終了後、クイックリターンミラー４は、光路Ｘ内から退避した状態に位置しているので、引き続き、撮影者は、モニタ撮影モードにより、被写体を画像表示用液晶モニタ１６上の撮影画像として見ることができる。
また、モニタ撮影モードを解除する場合には、撮影者が、撮影モード切り替えボタン７５を操作して、通常の撮影モード、すなわち、ファインダ接眼窓９を覗いて撮影するファインダ撮影モードに移行させる。ファインダ撮影モードに移行された場合、クイックリターンミラー４は、光路Ｘ内の所定位置に戻される。また、カメラシステム１００（例えば、一眼レフデジタルカメラ）本体の電源を切断する際にも、クイックリターンミラー４は、光路Ｘ内の所定位置に戻される。
（２．３：カメラシステムの露出設定動作）
次に、図４、図１０を用いて、カメラシステム１００の露出設定動作について説明する。カメラシステム１００は、通常撮影領域に対して自動で露出設定を行うプログラム撮影モードと、シャッタースピードを手動で設定するシャッタースピード優先撮影モードと、絞り値を手動で設定する絞り優先撮影モードと、シャッタースピード及び絞り値を両方とも手動で設定するマニュアル撮影モードとの４つの露出設定モードを持つ。
カメラシステム１００の操作を行う撮影者等は、絞りリング４０を所定の回転角度とシャッタースピード設定ダイヤル３１の回転角度とを組み合わせて設定することにより、４つの露出設定モードを選択することができる。すなわち、撮影者等は、絞りリング４０の文字「Ａ」を指標３３と一致させた状態で、シャッタースピード設定ダイヤル３１をオートの位置に合わせることで、プログラム撮影モードに設定することができる。撮影者等は、絞りリング４０の文字「Ａ」を指標３３と一致させた状態で、シャッタースピード設定ダイヤル３１をマニュアル設定可能な位置に合わせることで、シャッタースピード優先撮影モードに設定することができる。撮影者等は、絞りリング４０の文字「２」〜「１１」のいずれかを指標３３と一致させた状態で、シャッタースピード設定ダイヤル３１をオートの位置に合わせることで、絞り優先撮影モードに設定することができる。撮影者等は、絞りリング４０の文字「２」〜「１１」のいずれかを指標３３と一致させた状態で、シャッタースピード設定ダイヤル３１をマニュアル設定可能な位置に合わせることで、マニュアル撮影モードに設定することができる。
以下、４つの露出設定モードの内、プログラム撮影モードと、シャッタースピード優先撮影モードとを総称してオート絞りモードという。また、以下、絞り優先撮影モードと、マニュアル撮影モードとを総称してマニュアル絞りモードという。
（２．４：オート絞りモードの露出設定動作）
絞りリニアセンサ４１は、回転角度に応じた信号を絞り制御部２７へ出力する。絞りリング４０の文字「Ａ」を指標３３と一致させた状態にあるとき、撮影者によりレリーズボタン３０が操作されると、絞り制御部２７は、絞りリニアセンサ４１から受信した信号に基づいて露出設定モードがオート絞りモードであると判断する。判断した結果は、レンズマイコン２０およびボディーマイコン１２へ送信される（ボディーマイコン１２への送信は、レンズマイコン２０とボディーマイコン１２とのマイコン間通信を介して行われる。）。
また、シャッタースピード設定ダイヤル３１は、回転角度に応じた信号をボディーマイコン１２へ出力する。ボディーマイコン１２は、絞り制御部２７から受信した判断結果と、シャッタースピード設定ダイヤル３１からの信号とに基づいて、露出設定モードがオート絞りモードであることを認識する。
ボディーマイコン１２は、デジタル信号処理部５３へ指令を送信する。デジタル信号処理部５３は、受信した指令に基づいて所定のタイミングで画像信号をボディーマイコン１２へ送信する。ボディーマイコン１２は、受信した画像信号に基づいて露出値を演算する。ボディーマイコン１２は、露出設定モードがプログラム撮影モードである場合、調整可能な絞り値とシャッタースピードとから適切な組み合わせを演算する。ボディーマイコン１２は、露出設定モードがシャッタースピード優先撮影モードである場合、設定されたシャッタースピードに対する適切な絞り値を演算する。
ボディーマイコン１２は、演算結果に基づいて制御信号を生成する。ボディーマイコン１２は、演算された絞り値に基づく制御信号を、交換レンズユニット２側のレンズマイコン２０を介して絞り制御部２７へ送信する。ボディーマイコン１２は、露出設定モードがプログラム撮影モードである場合、演算されたシャッタースピードに基づく制御信号をシャッター制御部１４へ送信する。ボディーマイコン１２は、露出設定モードがシャッタースピード優先撮影モードである場合、シャッタースピード設定ダイヤル３１により設定されたシャッタースピードについての情報をシャッター制御部１４へ送信する。
併せて、ボディーマイコン１２は、画像表示制御部１５に制御信号を送信する。画像表示制御部１５は、画像表示用液晶モニタ１６を駆動する。画像表示用液晶モニタ１６は、制御信号の内容がプログラム撮影モードを指示するものであるとき、露出設定モードがプログラム撮影モードである旨の表示を行う。画像表示用液晶モニタ１６、制御信号の内容がシャッタースピード優先撮影モードを指示するものであるとき、露出設定モードがシャッタースピード優先撮影モードである旨の表示を行う。
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動される。
シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａの駆動により、シャッターユニット１０が駆動される。
以上のようにして、カメラシステム１００のオート絞りモードによる露出設定が行われる。以上の動作は、撮影者等のレリーズボタン３０の操作後、瞬時に実行される。
ボディーマイコン１２は、撮影が終了すると、画像記録制御部１７に制御信号を送信する。画像記録部１８は、画像記録制御部１７の指令に基づいて、画像信号を内部メモリ及び／又はリムーバブルメモリに記録する。
画像記録部１８は、画像記録制御部１７の指令に基づいて、制御信号の内容がプログラム撮影モードを指示するものであるとき、画像信号とともに露出設定モードがプログラム撮影モードである旨の情報を内部メモリ及び／又はリムーバブルメモリに記録する。画像記録部１８は、画像記録制御部１７の指令に基づいて、制御信号の内容がシャッタースピード優先撮影モードを指示するものであるとき、画像信号とともに露出設定モードがシャッタースピード優先撮影モードである旨の情報を内部メモリ及び／又はリムーバブルメモリに記録する。
（２．５：マニュアル絞りモードの露出設定動作）
次に、絞りリング４０の文字「２」〜「１１」のいずれかの位置を指標３３と一致させた状態にあるとき、撮影者によりレリーズボタン３０が操作されると、絞り制御部２７は、絞りリニアセンサ４１から受信した信号に基づいて露出設定モードがマニュアル絞りモードであると判断する。判断した結果は、レンズマイコン２０へ送信される。また、シャッタースピード設定ダイヤル３１は、回転角度に応じた信号をボディーマイコン１２へ出力する。
ボディーマイコン１２は、絞り制御部２７から受信した判断結果と、シャッタースピード設定ダイヤル３１からの信号とに基づいて、露出設定モードがマニュアル絞りモードであることを認識する。
レンズマイコン２０は、絞り制御部２７に対して、絞りリング４０の回転角度より検出した絞り値情報を要求する。絞り制御部２７は、レンズマイコン２０からの指令に基づいて絞りリング４０の回転角度より検出した絞り値情報を、レンズマイコン２０およびボディーマイコン１２へ送信する（ボディーマイコン１２への送信は、レンズマイコン２０とボディーマイコン１２とのマイコン間通信を介して行われる。）。ボディーマイコン１２は、露出設定モードが絞り優先撮影モードである場合、デジタル信号処理部５３へ指令を送信する。デジタル信号処理部５３は、受信した指令に基づいて所定のタイミングで画像信号をボディーマイコン１２へ送信する。
ボディーマイコン１２は、露出設定モードが絞り優先撮影モードである場合、受信した画像信号に基づいてシャッタースピードを演算する。ボディーマイコン１２は、露出設定モードが絞り優先撮影モードである場合、検出された絞り値に対する適切なシャッタースピードを演算する。ボディーマイコン１２は、露出設定モードが絞り優先撮影モードである場合、演算結果に基づいて制御信号を生成する。ボディーマイコン１２は、露出設定モードが絞り優先撮影モードである場合、演算されたシャッタースピードに基づく制御信号をシャッター制御部１４へ送信する。ボディーマイコン１２は、露出設定モードがマニュアル撮影モードである場合、シャッタースピード設定ダイヤル３１により設定されたシャッタースピードについての情報をシャッター制御部１４へ送信する。
併せて、ボディーマイコン１２は、画像表示制御部１５に制御信号を送信する。画像表示制御部１５は、画像表示用液晶モニタ１６を駆動する。画像表示用液晶モニタ１６は、制御信号の内容が絞り優先撮影モードを指示するものであるとき、露出設定モードが絞り優先撮影モードである旨の表示を行う。画像表示用液晶モニタ１６は、制御信号の内容がマニュアル撮影モードを指示するものであるとき、露出設定モードがマニュアル撮影モードである旨の表示を行う。
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動される。シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａの駆動により、シャッターユニット１０が駆動される。
以上のようにして、カメラシステム１００のマニュアル絞りモードによる露出設定が行われる。以上の動作は、撮影者等のレリーズボタン３０の操作後、瞬時に実行される。
ボディーマイコン１２は、撮影が終了すると、画像記録制御部１７に制御信号を送信する。画像記録部１８は、画像記録制御部１７の指令に基づいて、画像信号を内部メモリ及び／又はリムーバブルメモリに記録する。
画像記録部１８は、画像記録制御部１７の指令に基づいて、制御信号の内容が絞り優先モードを指示するものであるとき、画像信号とともに露出設定モードが絞り優先モードである旨の情報を内部メモリ及び／又はリムーバブルメモリに記録する。画像記録部１８は、画像記録制御部１７の指令に基づいて、制御信号の内容がマニュアル撮影モードを指示するものであるとき、画像信号とともに露出設定モードがマニュアル撮影モードである旨の情報を内部メモリ及び／又はリムーバブルメモリに記録する。
（２．６：絞り込みモードの動作）
次に、本発明の第１実施形態に係る絞り込みモードについて説明する。
カメラシステム１００において被写界深度の確認は、画像表示用液晶モニタ１６を見ることにより行われる。このとき、画像表示用液晶モニタ１６には、絞りユニット２８を本撮影の際の絞り値に即した画像（以下、「実絞りライブビュー画像」という。）が表示される。この実絞りライブビュー画像を画像表示用液晶モニタ１６に表示させるため、絞り込みモードボタン７６を押すと、図３に示すように、撮影モードは、自動的にモニタ撮影モードに移行される。このようにモニタ撮影モードに移行されることにより、本撮影の際の絞り値に即した実絞りライブビュー画像を画像表示用液晶モニタ１６にて表示させることが可能となり、被写界深度の確認を容易に行うことができる。
この絞り込みモードにおいて、レンズマイコン２０は、絞り制御部２７に対して、絞りリング４０の回転角度より検出した絞り値情報を要求する。絞り制御部２７は、レンズマイコン２０からの指令に基づいて絞りリング４０の回転角度より検出した絞り値情報を、レンズマイコン２０およびボディーマイコン１２へ送信する（ボディーマイコン１２への送信は、レンズマイコン２０とボディーマイコン１２とのマイコン間通信を介して行われる。）。絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動される。
（２．７：絞り込みモードの具体的動作１）
次に、絞り込みモードにおける具体的な動作（以下、「具体的動作１」という。）について、図１２に示すフローチャートを用いて説明する。
カメラシステム１００のボディーマイコン１２は、絞り込みモードボタン７６が押されたかどうかを判断する（ステップＳ１）。絞り込みモードボタン７６が押された場合には、絞り込みモードに移行させ、クイックリターンミラー制御部６０は、図３に示すように、クイックリターンミラー４を光路Ｘ外に退避させ、撮像センサ１１の動作を開始させる（ステップＳ２）。次に、画像表示制御部１５により、画像表示用液晶モニタ１６上には、撮像センサ１１により得られたライブビュー画像が表示される（ステップＳ３）。このとき、例えば、図１３に示すように、表示領域を左右に分割した画像表示用液晶モニタ１６の表示領域の左側の表示領域Ｒ１３１に、本交換レンズユニット２における最も明るい絞り値（絞りが開放されているときの絞り値）であり、被写界深度の最も浅い、絞り値がＦ２の画像を表示させる。例えば、真ん中に人物像を写した画像である場合、真ん中に写された人物像に対して、背景のぼけた画像が画像表示用液晶モニタ１６の表示領域の左側の表示領域Ｒ１３１に表示されることになる。なお、この画像表示用液晶モニタ１６の左側領域の画像は、バッファメモリ５４により一時的に記憶され、画像表示用液晶モニタ１６に表示された状態を保つ。次に、撮影者等が、絞りリング４０を操作し、所定の絞り値に合わせると（ステップＳ４）、絞り制御部２７は、レンズマイコン２０からの指令に基づいて絞りリング４０の回転角度より検出した絞り情報を検出する（ステップＳ５）。そして、絞り制御部２７は、レンズマイコン２０からの制御信号に基づいて絞り駆動モータ２８ｂを駆動するための駆動信号を生成し、絞り駆動モータ２８ｂの駆動により、絞り羽根が駆動し、所定の絞り値に変更する（ステップＳ６）。このとき、図１３に示すように、画像表示用液晶モニタ１６の表示領域の右側の表示領域Ｒ１３２には、ステップＳ３にて画像表示用液晶モニタ１６の表示領域の左側の表示領域Ｒ１３１に表示された、絞り値がＦ２の画像とともに、絞りリング４０にて設定した、例えば、絞り値がＦ８である画像が同時に表示される（ステップＳ７）。この右側の表示領域Ｒ１３２に表示された画像は、絞り値がＦ８である画像であるので、左側の表示領域Ｒ１３１に表示されたに画像に比べ、真ん中の人物と背景との両方にピントが合った被写界深度が深い画像である。このように、カメラシステム１００では、被写界深度の異なる２つの画像を、画像表示用液晶モニタ１６の表示領域に、同時に並べて表示させることができるので、撮影時に、どの被写界深度の画像を撮影するかを、撮影者が事前に確認することができる。このとき、図１３に示すように、画像表示用液晶モニタ１６の表示領域の左上と右上には、２つの実絞り値が表示され、右側領域に表示されている画像については、絞り値の変更に応じて、その絞り値に対応した画像をライブビュー表示させる。なお、設定する被写界深度については、それぞれ、絞り値がＦ２およびＦ８であるものに限るものではない。そして、レリーズボタン３０が操作されていないことを確認した後（ステップＳ８）（レリーズボタン３０が操作された場合は、後述の連写モードに移行する。）、絞り込みモードボタン７６が解除された否かを判断し（ステップＳ９）、絞り込みモードボタン７６が解除された場合、絞り込みモードを終了させ、図２に示すように、クイックリターンミラー４は、光路Ｘ内の所定位置に戻される（ステップＳ１０）。
以上のように、本第１実施形態のカメラシステム１００によれば、絞り込みモードに設定された場合、クイックリターンミラー４を光路外に退避させて、画像表示用液晶モニタ１６を用いたモニタ撮影モードに、自動的に移行させるので、本撮影の際の絞り値に即した２つの画像、つまり、２つの実絞りライブビュー画像を、画像表示用液晶モニタ１６に同時並行に表示させることができる。このため、被写界深度の異なる画像の比較を行うことができ、どの絞り値にて撮影したら最適かどうかを、撮影者が容易に判断することができる。なお、画像表示用液晶モニタ１６に同時並行に表示させる画像の絞り値は、異なるものにするのが通常であるが、絞り値が同一である２つの画像を同時並行に表示させても当然よい。
（２．８：絞り込みモードの具体的動作２）
次に、上記で説明した絞り込みモードにおける具体的動作１とは別の、絞り込みモードにおける具体的動作（以下、「具体的動作２」）について、図１２および図１４に示すフローチャート図を用いて説明する。なお、具体的動作２において、具体的動作１と同様のものについては、説明を省略する。
図１２に示すフローチャート図において、ステップＳ７が終了した後、図１３に示す左右２つの画像が画像表示用液晶モニタ１６に表示された状態にて、レリーズボタン３０が操作されたか否かを判断し（ステップＳ８）、撮影者により、レリーズボタンが操作された場合、連写モードに移行する。そして、クイックリターンミラー４は、光路Ｘ内の所定位置に戻され（ステップＳ１０１）、合焦動作が実行される（ステップＳ１０２）。次に、クイックリターンミラー４は、光路Ｘ外へ退避し（ステップＳ１０３）、最初に絞り値がＦ２に設定される（ステップＳ１０４）。絞り値がＦ２となるように、絞り羽根が駆動され、絞り値Ｆ２の画像が撮影される（ステップＳ１０５）。続いて、絞り値がＦ８に設定される（ステップＳ１０６）。絞り値がＦ８となるように、絞り羽根が駆動され、絞り値Ｆ８の画像が撮影される（ステップＳ１０７）。以上により、被写体深度の異なる２枚の画像が連写により取得される。連写により取得された２枚の撮影画像は、画像記録制御部１７の指令に基づいて、画像信号データとして、内部メモリ及び／又はリムーバブルメモリに記録される（ステップＳ１０８）。そして、この連写モードが終了すると、図１２のフローチャート図における（ステップＳ２）と（ステップＳ３）との間に移行し、再度絞り込みモードに戻る（図１２および図１４のＢの部分に相当。）。
以上のように、カメラシステム１００によれば、絞り込みモードにおいて、自動的に、クリックリターンミラーを光路外へ退避させ画像表示用液晶モニタ１６を用いたモニタ撮影モードに移行することにより、本撮影の際の絞り値に即した２つの異なる画像、つまり実絞りライブビュー画像を見ながら、同時に（一度の撮影操作で）撮影することができるため、被写界深度の異なる画像の連写を行うことができる。したがって、撮影条件等の設定の簡略化を図ることができるので、撮影者等の撮影の幅を拡げることが可能となる。
［他の実施形態］
前述の実施形態においては、画像表示用液晶モニタ１６上に、被写界深度の異なる２つの画像を並べて表示させたが、その表示形式については、これに限定されるものではない。例えば、図１５に示すように、画像表示用液晶モニタ１６の表示領域Ｒ１３０において、人物像の真ん中で１つの画像を左右２つに分け、左側の表示領域Ｒ１３１には、一時的に記憶した絞り値がＦ２である画像を表示し、右側の表示領域Ｒ１３２には、カメラシステム１００の絞り値の変更に応じて、その絞り値に対応した画像をライブビュー表示させるような方式であっても良い。
また、前述の実施形態においては、絞り値に変更については、交換レンズユニット２に搭載された絞りリングを用いて行ったが、カメラ本体１に搭載されたダイヤルなどを用いて操作してもよい。また、カメラ本体１に搭載されたダイヤルは、絞り値変更の専用ダイヤルでなくとも、他の機能との兼用であってもよい。
また、前述の実施形態においては、画像表示用液晶モニタ１６に表示する画像については、撮像センサ１１を用いて行ったが、別途、第２の撮像センサをファインダ光学系内に配置し、その画像を画像表示用液晶モニタ１６に表示させる方式であっても良い。その場合は、クイックリターンミラー４を、光路Ｘ外へ退避させる必要がない。また、クイックリターンミラー４、並びにファインダ光学系１９の構成、あるいはその配置については、前述の実施形態の構成、配置等に限るものではない。
また、前述の実施形態において、絞り込みモードについては、絞り込みモードボタンを一回押せば移行し、もう一回押せば解除される方式を用いたが、絞り込みモードボタンを押している間のみ、絞り込みモードを継続させるようにしてもよい。
また、前述の実施形態においては、焦点検出動作については、焦点検出用ユニット５を用いたが、撮像センサ１１を用いたＡＦ検波方式であっても良い。この場合、図１４のステップＳ１０１の処理は、不要となる。
また、前述の実施形態においては、２つの絞り値に対応する画像を画像表示用液晶モニタ１６に表示させる場合について説明したが、これに限定されることはなく、例えば、３以上の複数の絞り値に対応する画像を、画像表示用液晶モニタにマルチ画面として表示させるようにしてもよい。このとき、絞りが開放状態である場合の絞り値に対応する画像を常に画像表示用液晶モニタ１６上の特定の表示領域に常に表示させ、その他の表示領域に絞りが開放状態である場合の絞り値以外の絞り値に対応する複数の画像をそれぞれ表示させるようにしてもよい。
また、前述の実施形態においては、撮影時についてのカメラシステム１００の動作について説明したが、例えば、撮影した画像をカメラシステム１００で再生させる、いわゆる再生モードにおいて、画像表示用液晶モニタ１６の表示領域Ｒ１３０上に、異なる絞り値で撮影した画像を左右並べて表示させるようにしてもよい。これにより、撮影者（カメラシステム１００のユーザ）は、絞り値と撮影画像との関連を感覚的に知ることができるので、次に撮影するときの絞り値の参考とすることができる。
また、前述の実施の形態においては、一眼レフカメラについて説明したが、これに限定されることはなく、例えば、コンパクトカメラについて適用してもよい。特に、大きなサイズの撮像素子を有するコンパクトカメラについて適用するとよい。
なお、上記説明に用いた座標軸、方向等は、本発明の使用状態を限定するものではない。
なお、本発明の具体的な構成は、前述の実施形態に限られるものではなく、発明の要旨を逸脱しない範囲で種々の変更および修正が可能である。
［第１付記］
本発明は、次のように表現することも可能である。
＜第１付記の内容＞
（付記１）
撮像光学系と撮像素子との間に配置された可動の反射ミラーを有し、前記反射ミラーによって反射された光を観察する観察光学系を備えた撮像装置であって、
前記反射ミラーを駆動する反射ミラー駆動手段と、
前記撮像光学系を通った光を前記反射ミラーで反射して、前記観察光学系に導くように、前記反射ミラーを第１の状態へ駆動して撮影を行う第１の撮影モードと、
前記撮像光学系を通った光を前記撮像素子へ導くように、前記反射ミラーを第２の状態へ駆動して撮影を行う第２の撮影モードと、
画像を表示する画像表示手段と、
操作されることにより前記撮影光学系が第１の絞り状態へと制御され、前記第２の撮影モードへ移行すると共に、前記撮影素子にて取得された第１の画像データが前記表示手段に表示されるプレビュー操作手段と、
前記光学系の絞り値を変更する絞り変更手段と、
前記プレビュー操作手段が操作された状態にて、前記絞り変更手段を操作することにより前記第１の実絞り状態とは異なる第２の実絞り状態における画像データを、前記第１の絞り状態の画像データと同時に、前記画像表示手段に表示させる画像表示制御手段と、
を備えたことを特徴とする撮像装置。
（付記２）
前記第１の実絞り状態における撮影画像と、前記第２の実絞り状態における撮影画像を記録する画像記録手段を備えたことを特徴とする、
付記１記載の撮像装置。
＜第１付記の説明＞
付記１に記載の発明は、撮像光学系と撮像素子との間に配置された可動の反射ミラーを有し、反射ミラーによって反射された光を観察する観察光学系を備えた撮像装置であって、反射ミラーを駆動する反射ミラー駆動手段と、撮像光学系を通った光を前記反射ミラーで反射して、観察光学系に導くように、反射ミラーを第１の状態へ駆動して撮影を行う第１の撮影モードと、撮像光学系を通った光を撮像素子へ導くように、反射ミラーを第２の状態へ駆動して撮影を行う第２の撮影モードと、画像を表示する画像表示手段と、操作されることにより撮影光学系が第１の絞り状態へと制御され、第２の撮影モードへ移行すると共に、撮影素子にて取得された第１の画像データが前記表示手段に表示されるプレビュー操作手段と、光学系の絞り値を変更する絞り変更手段と、プレビュー操作手段が操作された状態にて、前記絞り変更手段を操作することにより第１の実絞り状態とは異なる第２の実絞り状態における画像データを、前記第１の絞り状態の画像データと同時に、画像表示手段に表示させる画像表示制御手段とを備えたことを特徴とする撮像装置である。
付記２に記載の発明は、第１の実絞り状態における撮影画像と、第２の実絞り状態における撮影画像を記録する画像記録手段を備えたことを特徴とする撮像装置である。
【産業上の利用可能性】
【０００７】
本発明は、一眼レフデジタルカメラにおいて、画像表示用液晶モニタを用いて実絞りライブビュー画像を表示させることができるシステムであり、撮像装置の利便性を拡大するものである。
【図１】
2007066629.tif 000003
【図２】
2007066629.tif 000004
【図３】
2007066629.tif 000005
【図４】
2007066629.tif 000006
【図５】
2007066629.tif 000007
【図６】
2007066629.tif 000008
【図７】
2007066629.tif 000009
【図８】
2007066629.tif 000010
【図９】
2007066629.tif 000011
【図１０】
2007066629.tif 000012
【図１１】
2007066629.tif 000013
【図１２】
2007066629.tif 000014
【図１３】
2007066629.tif 000015
【図１４】
2007066629.tif 000016
【図１５】
2007066629.tif 000017
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
絞りを有し、被写体からの光を集光する撮像光学系と、
前記撮像光学系からの光を電気信号に変換して撮像画像を取得する撮像部と、
第１の表示領域と第２の表示領域とを含む表示領域を有し、前記撮像部で取得した撮像画像を前記表示領域に表示する画像表示部と、
前記絞りを調整し前記撮像光学系の絞り値を設定する絞り設定部と、
を備え、
前記画像表示部は、前記絞り設定部により前記絞り値が第１の絞り値に設定された場合に、前記撮像部により取得される第１の撮像画像を前記第１の表示領域に表示し、前記絞り設定部により前記絞り値が第２の絞り値に設定された場合に、前記撮像部により取得される第２の撮像画像を前記第２の表示領域に表示することで、前記第１の撮像画像と前記第２の撮像画像との両方を前記表示領域に表示する、
カメラシステム。
【請求項２】
前記第１の撮影画像と前記第２の撮影画像とを記録する画像記録部をさらに備える、
請求項１記載のカメラシステム。
【請求項３】
前記画像記録部は、前記第１の撮影画像が取得されたときの前記絞り値を前記第１の撮像画像と対応づけて記録し、前記第２の撮影画像が取得されたときの前記絞り値を前記第２の撮像画像と対応づけて記録する、
請求項２に記載のカメラシステム。
【請求項４】
前記撮像光学系からの光を観察するための観察光学系と、
前記撮像光学系と前記撮像部との間に設置され、前記撮像光学系からの光を前記観察光学系へ導くための第１の位置と、前記撮像光学系からの光を前記撮像部へ導くための第２の位置とを取り得る可動ミラーと、
前記可動ミラーの位置を前記第１の位置に配置させて撮影する第１の撮影モードと、前記可動ミラーの位置を前記第２の位置に配置させて撮影する第２の撮影モードとを切り換える撮影モード切換部と、
絞り込みモードに設定するための情報が入力される絞り込みモード設定部と、
をさらに備え、
前記絞り込みモード設定部に前記絞り込みモードに設定するための前記情報が入力され、前記絞り込みモード設定部により前記絞り込みモードに設定された場合、
前記絞り設定部は、前記撮影光学系の前記絞り値が前記第１の絞り値となるように前記絞りを調整し、
前記撮影モード切換部は、前記第２の撮影モードに切り換え、
前記画像表示部は、前記撮影部により取得される前記第１の撮像画像を前記第１の表示領域に表示し、
さらに、前記絞り設定部は、前記撮影光学系の前記絞り値が前記第２の絞り値となるように前記絞りを調整し、
前記画像表示部は、前記撮影部により取得される前記第２の撮像画像を前記第２の表示領域に表示する、
請求項１から３のいずれかに記載のカメラシステム。
【請求項５】
前記撮像部、前記観察光学系、前記可動ミラー、前記撮影モード切換部、絞り込みモード設定部、前記画像表示部及び画像記録部を有するカメラ本体と、
前記撮像光学系および前記絞り設定部を有する交換レンズユニットと、
をさらに備える、
請求項４に記載のカメラシステム。
【請求項６】
前記画像表示部は、前記第１の撮像画像を記憶する記憶部を有し、前記第１の表示領域には、前記記憶部で記憶されている前記第１の撮像画像を表示し、前記第２の表示領域には、前記撮像部により取得されている前記撮像画像を表示する、
請求項１から５のいずれかに記載のカメラシステム。
【請求項７】
前記第１の撮像画像は、前記絞りが開放された場合に前記撮像部で取得される撮像画像である、
請求項６に記載のカメラシステム。
【請求項８】
前記画像表示部は、前記第１の表示領域と対応づけられた第３の表示領域と、前記第２の表示領域と対応づけられた第４の表示領域とを含む前記表示領域を有し、
前記第１の表示領域に前記第１の撮像画像を表示するとともに前記第１の撮像画像が取得されたときの前記絞り値を前記第３の表示領域に表示し、
前記第２の表示領域に前記第２の撮像画像を表示するとともに前記第２の撮像画像が取得されたときの前記絞り値を前記第４の表示領域に表示する、
請求項１から７のいずれかに記載のカメラシステム。
【請求項９】
絞りを有し、被写体からの光を集光する撮像光学系と、前記絞りを調整し前記撮像光学系の絞り値を設定する絞り設定部と、を備える交換レンズユニットとともに、カメラシステムに用いられるカメラ本体であって、
前記撮像光学系からの光を電気信号に変換して撮像画像を取得する撮像部と、
前記撮像光学系からの光を観察するための観察光学系と、
前記撮像光学系と前記撮像部との間に設置され、前記撮像光学系からの光を前記観察光学系へ導くための第１の位置と、前記撮像光学系からの光を前記撮像部へ導くための第２の位置とを取り得る可動ミラーと、
前記可動ミラーの位置を前記第１の位置に配置させて撮影する第１の撮影モードと、前記可動ミラーの位置を前記第２の位置に配置させて撮影する第２の撮影モードとを切り換える撮影モード切換部と、
絞り込みモードに設定するための情報が入力される絞り込みモード設定部と、
第１の表示領域と第２の表示領域とを含む表示領域を有し、前記撮像部で取得した撮像画像を前記表示領域に表示する画像表示部と、
前記撮影画像を記録する画像記録部と、
を備え、
前記画像表示部は、前記絞り設定部により前記絞り値が第１の絞り値に設定された場合に、前記撮像部により取得される第１の撮像画像を前記第１の表示領域に表示し、前記絞り設定部により前記絞り値が第２の絞り値に設定された場合に、前記撮像部により取得される第２の撮像画像を前記第２の表示領域に表示することで、前記第１の撮像画像と前記第２の撮像画像との両方を前記表示領域に表示し、
前記画像記録部は、前記第１の撮影画像と前記第２の撮影画像とを記録する、
カメラ本体。
【請求項１０】
絞りを有し、被写体からの光を集光する撮像光学系と、
前記絞りを調整し前記撮像光学系の絞り値を設定する絞り設定部と、
を備え、
撮像光学系からの光を電気信号に変換して撮像画像を取得する撮像部と、前記撮像光学系からの光を観察するための観察光学系と、前記撮像光学系と前記撮像部との間に設置され、前記撮像光学系からの光を前記観察光学系へ導くための第１の位置と、前記撮像光学系からの光を前記撮像部へ導くための第２の位置とを取り得る可動ミラーと、前記可動ミラーの位置を前記第１の位置に配置させて撮影する第１の撮影モードと、前記可動ミラーの位置を前記第２の位置に配置させて撮影する第２の撮影モードとを切り換える撮影モード切換部と、絞り込みモードに設定するための情報が入力される絞り込みモード設定部と、第１の表示領域と第２の表示領域とを含む表示領域を有し、前記撮像部で取得した撮像画像を前記表示領域に表示する画像表示部と、前記撮影画像を記録する画像記録部と、
を備えるカメラ本体とともにカメラシステムに用いられる、
交換レンズユニット。
【請求項１１】
絞りを有し、被写体からの光を集光する撮像光学系と、前記撮像光学系からの光を電気信号に変換して撮像画像を取得する撮像部と、第１の表示領域と第２の表示領域とを含む表示領域を有し、前記撮像部で取得した撮像画像を前記表示領域に表示する画像表示部と、前記絞りを調整し前記撮像光学系の絞り値を設定する絞り設定部と、を備えるカメラシステムにおける撮像方法であって、
前記撮像光学系からの光を電気信号に変換して撮像画像を取得する撮像ステップと、
前記撮像ステップで取得した撮像画像を前記表示領域に表示する画像表示ステップと、
前記絞りを調整し前記撮像光学系の絞り値を設定する絞り設定ステップと、
を有し、
前記画像表示ステップでは、前記絞り設定ステップにより前記絞り値が第１の絞り値に設定された場合に、前記撮像ステップにより取得される第１の撮像画像を前記第１の表示領域に表示し、前記絞り設定ステップにより前記絞り値が第２の絞り値に設定された場合に、前記撮像ステップにより取得される第２の撮像画像を前記第２の表示領域に表示することで、前記第１の撮像画像と前記第２の撮像画像との両方を前記表示領域に表示する、
撮像方法。
【手続補正２】
【補正対象書類名】明細書
【補正対象項目名】全文
【補正方法】変更
【補正の内容】
【発明の詳細な説明】
【技術分野】
【０００１】
本発明は、カメラシステム、カメラ本体、交換レンズユニット、および撮像方法に関する。特に、絞り値変更機能を有する一眼レフデジタルカメラ等に関する。
【背景技術】
【０００２】
近年、被写体の光学的な像を電気的な画像信号に変換して出力可能な一眼レフデジタルカメラが、急速に普及している。この一眼レフデジタルカメラにおいて、撮影者等によるファインダを用いた被写体観察時には、撮影レンズに入射された光（すなわち被写体像）が、レンズの後の撮影用光路上に配置された反射ミラーで反射されることにより光路が変更され、ペンタプリズム等を通して正立像にされ光学ファインダに導かれることで、撮影者は、レンズを通した被写体像を光学ファインダから見ることができる。したがって通常は、ファインダ用光路が形成される位置が反射ミラーの定位置となっている。
一方、レンズを撮影用として使用する場合は、反射ミラーが瞬時に位置を変え、撮影用光路から待避することで、ファインダ用光路が撮影用光路に切り換えられる。そして、撮影が終了すると、反射ミラーは、定位置に瞬時に戻る。この方式は、一眼レフ方式であれば、従来の銀塩カメラでも、デジタルカメラでも同様である。
【０００３】
デジタルカメラの特徴の一つとして、撮影者が撮影時に表示装置（例えば、画像表示用液晶モニタ）を見ながら撮影し、撮影後にすぐに撮影画像を確認できることが挙げられるが、これまでの一眼レフの反射ミラーの方式をデジタルカメラに用いると、撮影時に、撮影者が画像表示用液晶モニタを使用できないという課題があった。このように、撮影者が画像表示用液晶モニタを用いて撮影できないことにより、ファインダを覗いて撮影することになるため、とりわけ、デジタルカメラの撮影に不慣れな初心者にとっては、非常に使いにくいものになっていた。従って、デジタルカメラにおいて、撮影時にも、撮影者が画像表示用液晶モニタを用いて撮影できる機能が求められており、撮影時にも画像表示用液晶モニタ等の表示装置を用いて撮影できる機能を有する一眼レフデジタルカメラが提案されている（例えば、特許文献１）。
【特許文献１】特開２００１−１２５１７３号公報
【発明の開示】
【０００４】
（発明が解決しようとする課題）
一般に、一眼レフデジタルカメラには、通常のコンパクト・デジタルカメラに比較して大きなサイズの撮像素子が用いられるので、撮像素子上で結像される被写体像において、焦点が合っている領域が少なく、被写界深度が浅い。このため、一眼レフデジタルカメラを用いて撮影する場合、絞りを調整して、被写界深度を確認することが重要となる。
しかしながら、従来の一眼レフ方式のデジタルカメラにおいては、被写界深度の確認は、撮影者がデジタルカメラのファインダを覗くことにより行っていたため、折角、画像表示用液晶モニタを搭載した一眼レフ方式のデジタルカメラにおいても、撮影者が画像表示用液晶モニタを使用して被写界深度の確認をすることができなかった。すなわち、撮影者が画像表示用液晶モニタを用いて、本撮影の際の絞り値にした画像、いわゆる実絞りライブビュー画像を確認できるようなシステムが望まれている。
【０００５】
本発明が解決しようとする課題は、撮影者が画像表示用液晶モニタを見ながら撮影することができ、かつ、本撮影の際の絞り値に即した複数の実絞りライブビュー画像を同時並行に画像表示用液晶モニタにて表示させることで、被写界深度の異なる画像の比較を容易に行うことができるカメラシステム、撮像方法、並びに、そのカメラシステムに用いられるカメラ本体および交換レンズユニットを実現することである。
（課題を解決するための手段）
第１の発明は、撮像光学系と、撮像部と、画像表示部と、絞り設定部と、を備えるカメラシステムである。撮像光学系は、絞りを有し、被写体からの光を集光する。撮像部は、撮像光学系からの光を電気信号に変換して撮像画像を取得する。画像表示部は、第１の表示領域と第２の表示領域とを含む表示領域を有し、撮像部で取得した撮像画像を表示領域に表示する。絞り設定部は、絞りを調整し撮像光学系の絞り値を設定する。そして、画像表示部は、絞り設定部により絞り値が第１の絞り値に設定された場合に、撮像部により取得される第１の撮像画像を第１の表示領域に表示し、絞り設定部により絞り値が第２の絞り値に設定された場合に、撮像部により取得される第２の撮像画像を第２の表示領域に表示することで、第１の撮像画像と第２の撮像画像との両方を表示領域に表示する。
【０００６】
このカメラシステムでは、被写体からの光は、絞りを有する撮像光学系により集光され、撮像部により撮像画像に変換される。変換された撮像画像は、画像表示部により第１の表示領域と第２の表示領域とを含む表示領域に表示される。また、このカメラシステムでは、絞り設定部により撮像光学系の絞り値を設定することができ、絞り設定部により絞り値が第１の絞り値に設定された場合に、撮像部により取得される第１の撮像画像は、画像表示部により第１の表示領域に表示され、絞り設定部により絞り値が第２の絞り値に設定された場合に、撮像部により取得される第２の撮像画像は、画像表示部により第２の表示領域に表示されるので、第１の撮像画像と第２の撮像画像との両方を画像表示部の表示領域に表示させることができる。
これにより、撮影者が画像表示部の表示領域に表示された撮像画像を見ながら撮影することができ、かつ、本撮影の際の絞り値に即した複数の実絞りライブビュー画像を同時並行に画像表示部の表示領域にて表示させることで、被写界深度の異なる撮像画像の比較を容易に行うことができる。
【０００７】
第２の発明は、第１の発明であって、第１の撮影画像と第２の撮影画像とを記録する画像記録部をさらに備える。
これにより、第１の撮影画像と第２の撮影画像とを画像記録部に記録し、保持することができるので、任意のタイミングで画像表示部の表示領域に第１の撮影画像と第２の撮影画像とのいずれか、あるいは両方を表示させることができる。
第３の発明は、第２の発明であって、画像記録部は、第１の撮影画像が取得されたときの絞り値を第１の撮像画像と対応づけて記録し、第２の撮影画像が取得されたときの絞り値を第２の撮像画像と対応づけて記録する。
これにより、画像記録部に記録された撮像画像を撮像したときの絞り値を容易に知ることができる。
【０００８】
第４の発明は、第１から第３のいずれかの発明であって、観察光学系と、可動ミラーと、撮影モード切換部と、絞り込みモード設定部と、をさらに備える。観察光学系は、撮像光学系からの光を観察するためのものである。可動ミラーは、撮像光学系と撮像部との間に設置され、撮像光学系からの光を観察光学系へ導くための第１の位置と、撮像光学系からの光を撮像部へ導くための第２の位置とを取り得る。撮影モード切換部は、可動ミラーの位置を第１の位置に配置させて撮影する第１の撮影モードと、可動ミラーの位置を第２の位置に配置させて撮影する第２の撮影モードとを切り換える。絞り込みモード設定部は、絞り込みモードに設定するための情報が入力されるものである。そして、絞り込みモード設定部に絞り込みモードに設定するための情報が入力され、絞り込みモード設定部により絞り込みモードに設定された場合、絞り設定部は、撮影光学系の絞り値が第１の絞り値となるように絞りを調整し、撮影モード切換部は、第２の撮影モードに切り換え、画像表示部は、撮影部により取得される第１の撮像画像を第１の表示領域に表示する。さらに、絞り設定部は、撮影光学系の絞り値が第２の絞り値となるように絞りを調整し、画像表示部は、撮影部により取得される第２の撮像画像を第２の表示領域に表示する。
【０００９】
このカメラシステムでは、絞り込みモードに設定された場合、絞り設定部は、撮影光学系の絞り値が第１の絞り値となるように絞りを調整し、撮影モード切換部は、第２の撮影モードに切り換え、画像表示部は、撮影部により取得される第１の撮像画像を第１の表示領域に表示し、さらに、絞り設定部は、撮影光学系の絞り値が第２の絞り値となるように絞りを調整し、画像表示部は、撮影部により取得される第２の撮像画像を第２の表示領域に表示する。したがって、本撮影の際の絞り値に即した複数の実絞りライブビュー画像を同時並行に画像表示部の表示領域にて表示させることで、被写界深度の異なる撮像画像の比較を容易に行うことができ、かつ、被写界深度の異なる撮像画像を一度の撮影操作で撮影することができる。
第５の発明は、第４の発明であって、撮像部、観察光学系、可動ミラー、撮影モード切換部、絞り込みモード設定部、画像表示部及び画像記録部を有するカメラ本体と、撮像光学系および絞り設定部を有する交換レンズユニットと、をさらに備える。
【００１０】
これにより、別個の部品であるカメラ本体と、交換レンズユニットとを用いて、カメラシステムを構成することができる。
第６の発明は、第１から第５のいずれかの発明であって、画像表示部は、第１の撮像画像を記憶する記憶部を有し、第１の表示領域には、記憶部で記憶されている第１の撮像画像を表示し、第２の表示領域には、撮像部により取得されている撮像画像を表示する。
これにより、第１の表示領域には、所定の絞り値に対応する撮像画像を表示させながら、第２の表示領域には、別の絞り値に対応する撮像画像を表示させることができるので、撮影者は、絞り値の変化による撮像画像の変化を容易に知ることができる。
第７の発明は、第６の発明であって、第１の撮像画像は、絞りが開放された場合に撮像部で取得される撮像画像である。
【００１１】
これにより、撮影者は、絞りが開放された撮像画像との比較をしながら、絞り値の変化による撮像画像の変化を知ることができる。
第８の発明は、第１から第７のいずれかの発明であって、画像表示部は、第１の表示領域と対応づけられた第３の表示領域と、第２の表示領域と対応づけられた第４の表示領域とを含む表示領域を有し、第１の表示領域に第１の撮像画像を表示するとともに第１の撮像画像が取得されたときの絞り値を第３の表示領域に表示し、第２の表示領域に第２の撮像画像を表示するとともに第２の撮像画像が取得されたときの絞り値を第４の表示領域に表示する。
これにより、撮像画像とその撮像画像が取得されたときの絞り値との関係を画像表示部の表示領域上で容易に確認することができる。
【００１２】
なお、ここで「対応づけられた」とは、対応づける表示領域と対応づけられる表示領域とが画像表示部の表示領域の一定の領域内に存在し、撮影者が画像表示部の表示領域を見ることで容易にその対応づけを確認できる状態をいう。例えば、表示領域の中心部分を左右に分け、左側に第１の撮像画像を表示させ、その上の表示領域を対応づけられた表示領域とし、そこに第１の撮像画像が取得されたときの絞り値を表示させ、右側に第２の撮像画像を表示させ、その上の表示領域を対応づけられた表示領域とし、そこに第２の撮像画像が取得されたときの絞り値を表示させる。
第９の発明は、絞りを有し、被写体からの光を集光する撮像光学系と、絞りを調整し撮像光学系の絞り値を設定する絞り設定部と、を備える交換レンズユニットとともに、カメラシステムに用いられるカメラ本体である。そして、第９の発明は、撮像部と、観察光学系と、可動ミラーと、撮影モード切換部と、絞り込みモード設定部と、撮像光学系からの光を電気信号に変換して撮像画像を取得する撮像部と、撮像光学系からの光を観察するための観察光学系と、画像表示部と、画像記録部と、を備える。観察光学系は、撮像光学系と撮像部との間に設置され、撮像光学系からの光を観察光学系へ導くためのものである。可動ミラーは、第１の位置と、撮像光学系からの光を撮像部へ導くための第２の位置とを取り得る。撮影モード切換部は、可動ミラーの位置を第１の位置に配置させて撮影する第１の撮影モードと、可動ミラーの位置を第２の位置に配置させて撮影する第２の撮影モードとを切り換える。絞り込みモード設定部は、絞り込みモードに設定するための情報が入力されるものである。画像表示部は、第１の表示領域と第２の表示領域とを含む表示領域を有し、撮像部で取得した撮像画像を表示領域に表示する。画像記録部は、撮影画像を記録する。そして、画像表示部は、絞り設定部により絞り値が第１の絞り値に設定された場合に、撮像部により取得される第１の撮像画像を第１の表示領域に表示し、絞り設定部により絞り値が第２の絞り値に設定された場合に、撮像部により取得される第２の撮像画像を第２の表示領域に表示することで、第１の撮像画像と第２の撮像画像との両方を表示領域に表示する。画像記録部は、第１の撮影画像と第２の撮影画像とを記録する。
【００１３】
このカメラ本体では、撮影者が画像表示部の表示領域に表示された撮像画像を見ながら撮影することができ、かつ、本撮影の際の絞り値に即した複数の実絞りライブビュー画像を同時並行に画像表示部の表示領域にて表示させることで、被写界深度の異なる撮像画像の比較を容易に行うことができる。
また、このカメラ本体により、交換レンズユニットとともにカメラシステムを構成するカメラ本体を実現できる。
第１０の発明は、絞りを有し、被写体からの光を集光する撮像光学系と、絞りを調整し撮像光学系の絞り値を設定する絞り設定部と、を備える交換レンズユニットである。そして、第１０の発明は、撮像光学系からの光を電気信号に変換して撮像画像を取得する撮像部と、撮像光学系からの光を観察するための観察光学系と、撮像光学系と撮像部との間に設置され、撮像光学系からの光を観察光学系へ導くための第１の位置と、撮像光学系からの光を撮像部へ導くための第２の位置とを取り得る可動ミラーと、可動ミラーの位置を第１の位置に配置させて撮影する第１の撮影モードと、可動ミラーの位置を第２の位置に配置させて撮影する第２の撮影モードとを切り換える撮影モード切換部と、絞り込みモードに設定するための情報が入力される絞り込みモード設定部と、第１の表示領域と第２の表示領域とを含む表示領域を有し、撮像部で取得した撮像画像を表示領域に表示する画像表示部と、撮影画像を記録する画像記録部と、を備えるカメラ本体とともにカメラシステムに用いられる。
【００１４】
この交換レンズユニットでは、カメラ本体とともにカメラシステムを構成することができ、この交換レンズユニットを用いたカメラシステムでは、撮影者が画像表示部の表示領域に表示された撮像画像を見ながら撮影することができ、かつ、本撮影の際の絞り値に即した複数の実絞りライブビュー画像を同時並行に画像表示部の表示領域にて表示させることで、被写界深度の異なる撮像画像の比較を容易に行うことができる。
第１１の発明は、絞りを有し、被写体からの光を集光する撮像光学系と、撮像光学系からの光を電気信号に変換して撮像画像を取得する撮像部と、第１の表示領域と第２の表示領域とを含む表示領域を有し、撮像部で取得した撮像画像を表示領域に表示する画像表示部と、絞りを調整し撮像光学系の絞り値を設定する絞り設定部と、を備えるカメラシステムにおける撮像方法である。そして、第１１の発明は、撮像光学系からの光を電気信号に変換して撮像画像を取得する撮像ステップと、撮影ステップで取得した撮像画像を表示領域に表示する画像表示ステップと、絞りを調整し撮像光学系の絞り値を設定する絞り設定ステップと、を有する。画像表示ステップでは、絞り設定ステップにより絞り値が第１の絞り値に設定された場合に、撮像ステップにより取得される第１の撮像画像を第１の表示領域に表示し、絞り設定ステップにより絞り値が第２の絞り値に設定された場合に、撮像ステップにより取得される第２の撮像画像を第２の表示領域に表示することで、第１の撮像画像と第２の撮像画像との両方を表示領域に表示する。
【００１５】
この撮像方法では、被写体からの光は、絞りを有する撮像光学系により集光され、撮像部により撮像画像に変換される。変換された撮像画像は、画像表示部により第１の表示領域と第２の表示領域とを含む表示領域に表示される。また、この撮像方法では、絞り設定ステップにより撮像光学系の絞り値を設定することができ、絞り設定ステップにより絞り値が第１の絞り値に設定された場合に、撮像ステップにより取得される第１の撮像画像は、画像表示ステップにより第１の表示領域に表示され、絞り設定ステップにより絞り値が第２の絞り値に設定された場合に、撮像ステップにより取得される第２の撮像画像は、画像表示ステップにより第２の表示領域に表示されるので、第１の撮像画像と第２の撮像画像との両方を画像表示部の表示領域に表示させることができる。
これにより、撮影者が画像表示部の表示領域に表示された撮像画像を見ながら撮影することができ、かつ、本撮影の際の絞り値に即した複数の実絞りライブビュー画像を同時並行に表示させることで、被写界深度の異なる撮像画像の比較を容易に行うことができる。
【００１６】
（発明の効果）
本発明によれば、撮影者が画像表示用液晶モニタを見ながら撮影することができ、かつ、本撮影の際の絞り値に即した複数の実絞りライブビュー画像を同時並行に画像表示用液晶モニタにて表示させることで、被写界深度の異なる画像の比較を容易に行うことができるカメラシステム、撮像方法、並びに、そのカメラシステムに用いられるカメラ本体および交換レンズユニットを実現することできる。
【発明を実施するための最良の形態】
【００１７】
［第１実施形態］
以下図面を参照しながら本発明の実施の形態について説明する。
＜1：カメラシステムの全体構成＞
本発明の第１実施形態に係るカメラシステム１００について説明する。図１に本発明の第１実施形態に係るカメラシステム１００の全体構成図を示す。
図１に示すカメラシステム１００は、交換レンズ式の一眼レフデジタルカメラシステムである。カメラシステム１００は、カメラ本体１と交換レンズユニット２とから構成される。
また、カメラシステム１００と交換レンズユニット２とは、それぞれに設けられた交換レンズユニット２側のレンズマウント２１の電気切片２２（図示せず）と、カメラシステム１００側のボディーマウント２３の電気切片２４（図示せず）とを介して、各種の制御信号の通信を行う。
【００１８】
（１．１：交換レンズユニットの構成）
交換レンズユニット２は、主に、カメラシステム１００内の撮像センサ１１に被写体像を結ぶための撮像光学系Ｌと、撮像光学系Ｌの絞りを調整するための絞り設定部と、交換レンズユニット２の各種シーケンスを制御するレンズマイコン２０とから構成される。
交換レンズユニット２は、レンズマウント２１を有し、カメラ本体１のボディ前面に設けられたボディーマウント２３に着脱可能に装着される。
着脱可能な交換レンズユニット２は、カメラシステム１００内の撮像センサ１１に被写体像を結ぶための撮像光学系Ｌを有する。また、交換レンズユニット２内の各種シーケンスをコントロールし、各種レンズ情報を保持しているレンズマイコン２０が搭載されている。交換レンズユニット２内には、フォーカスレンズ群２５を駆動制御するフォーカス制御部２６が搭載されている。さらに、絞りユニット２８を制御する絞り制御部２７が搭載されている。
【００１９】
撮像光学系Ｌは、主に、フォーカスレンズ群２５と、絞りユニット２８とから構成される。
絞り設定部は、主に、撮影者が回転操作することで絞り値を入力することができる絞りリング４０と、絞りリング４０の回転角度に応じた物理量を出力する絞りリニアセンサ４１と、絞り羽根を駆動する絞り駆動モータ２８ｂと、設定された絞り値となるように絞りを調整する絞り制御部２７とから構成される。
レンズマイコン２０は、交換レンズユニット２の中枢を司る制御装置であり、交換レンズユニット２に搭載された各部に接続されており、交換レンズユニット２の各種シーケンスの制御を行う。レンズマイコン２０には、例えば、ＣＰＵ、メモリ６９が搭載されており、メモリ６９に格納されたプログラムがＣＰＵに読み込まれることで、様々な機能を実現することができる。レンズマイコン２０は、フォーカス制御部２６、絞り制御部２７、シフト制御部４７等に対し、命令（例えば、制御信号やコマンド）を出力することで、フォーカス制御部２６、絞り制御部２７、シフト制御部４７等にそれぞれの制御を実行させる。また、レンズマイコン２０は、ボディーマイコン１２とインターフェースを介して接続され、ボディーマイコン１２とマイコン間通信を行う。
【００２０】
（１．２：カメラ本体の構成）
カメラ本体１は、主に、被写体からの光の経路を変更するクイックリターンミラー４と、被写体像を視認するためのファインダ光学系１９と、焦点検出を行う焦点検出用ユニット５と、シャッターの開閉動作を行うシャッターユニット１０と、被写体像を撮影画像として取得する撮像部と、撮像画像を表示する画像表示部と、撮影モードを切り換える撮影モード切換部と、絞り込みモードに設定するための絞り込みモード設定部と、シャッターユニット１０の制御を行うシャッター制御部１４と、撮像画像を記録する画像記録部１８と、カメラ本体１の各種シーケンスの制御を行うボディーマイコン１２とから構成されている。
なお、ファインダ光学系１９が観察光学系をなし、クイックリターンミラー４が可動ミラーをなし、撮影モード切り換えボタンおよびボディーマイコンが撮影モード切換部をなし、絞り込みモードボタンおよびボディーマイコンが絞り込みモード設定部をなす。交換レンズユニット２を通過した被写体光は、クイックリターンミラー４のメインミラー４ａにより２つの光束（反射光束および透過光束）に分割され、反射光束は、ファインダ光学系１９へ導かれる。一方、透過光束は、クイックリターンミラー４の背面側に設けられたサブミラー４ｂで反射されて、焦点検出用ユニット５のＡＦ用光束として利用される。この焦点検出用ユニット５は、一般的には、位相差検出方式が使用される。
【００２１】
メインミラー４ａで反射された光束は、ファインダースクリーン６上に結像される。ファインダースクリーン６上に結像された被写体像は、ペンタプリズム７および接眼レンズ８を介してファインダ接眼窓９から観察することができる。
カメラシステム１００内には、各種シーケンスをコントロールするボディーマイコン１２が搭載されている。撮像センサ制御部１３は、撮像センサ１１の駆動制御を行う。シャッター制御部１４は、シャッターユニット１０の駆動制御を行う。画像表示用の画像表示制御部１５は、撮像センサ１１より画像データを読み出し、所定の画像処理を行った後、画像表示用液晶モニタ１６へ撮影画像を表示するよう制御する。また、画像記録制御部１７は、図示せぬＳＤカードなどの記録媒体に対して、画像読み出し／記録部１８（以下、「画像記録部１８」という。）を介して、撮影画像の読み書きを行う。
【００２２】
クイックリターンミラー４は、主に、入射光を反射および透過可能なメインミラー４ａと、メインミラー４ａの背面側に設けられメインミラー４ａからの透過光を反射するサブミラー４ｂとから構成されており、クイックリターンミラー制御部６０により光路Ｘ外に跳ね上げが可能である。クイックリターンミラー４は、図２に示す位置と、図３に示す位置とを移動可能に設置されている。また、メインミラー４ａにより、入射光は、２つの光束に分割され、反射光束はファインダ光学系１９へ導かれ、透過光束は、サブミラー４ｂで反射されて、焦点検出用ユニット５に導かれる。
ファインダ光学系１９は、主に、被写体像が結像されるファインダースクリーン６と、被写体像を正立像に変換するペンタプリズム７と、被写体の正立像をファインダ接眼窓９に導く接眼レンズ８と、撮影者が被写体像を観察するファインダ接眼窓９とから構成されている。
【００２３】
焦点検出用ユニット５は、サブミラー４ｂからの反射光により、被写体からの光による結像が合焦状態にあるか否かを検知する（焦点を検出する）ユニットで、例えば、一般的な位相差検出方式によって、焦点検出を行う。
撮像部は、主に、光電変換を行うＣＣＤなどの撮像センサ１１と、撮像センサ１１を制御する撮像センサ制御部１３とから構成され、被写体像を撮影画像として取得する。撮像部により、入射光による被写体像が、撮影画像を形成する電気信号に変換される。
画像表示部は、画像表示用液晶モニタ１６と、画像表示用液晶モニタ１６の動作を制御する画像表示制御部１５とから構成されている。画像表示用液晶モニタ１６は、第１の表示領域Ｒ１３１と第２の表示領域Ｒ１３２とを含む表示領域Ｒ１３０を有し、撮像部で取得した撮像画像を表示領域Ｒ１３０に表示する。
【００２４】
画像記録部１８は、例えば、図示せぬカード型記録媒体に対して撮影画像の記録および再生を行う。画像記録部１８は、画像記録部１８の動作を制御する画像記録制御部１７により制御される。
ボディーマイコン１２は、カメラ本体１の中枢を司る制御装置であり、各種シーケンスの制御を行う。ボディーマイコン１２には、例えば、ＣＰＵ、ＲＯＭ、ＲＡＭが搭載されており、ＲＯＭに格納されたプログラムがＣＰＵに読み込まれることで、ボディーマイコン１２は様々な機能を実現することができる。ボディーマイコン１２は、シャッター制御部１４、撮像センサ制御部１３、画像表示制御部１５、画像記録制御部１７等に対し、命令（例えば、制御信号やコマンド）を出力することで、シャッター制御部１４、撮像センサ制御部１３、画像表示制御部１５、画像記録制御部１７等にそれぞれの制御を実行させる。また、ボディーマイコン１２は、レンズマイコン２０とインターフェースを介して接続され、レンズマイコン２０とマイコン間通信を行う。
【００２５】
（１．３：ファインダ撮影モードとモニタ撮影モード）
このカメラシステム１００は、２つの撮影モードを有する。１つ目は、撮影者等がファインダ接眼窓９を観察しながら撮影するファインダ撮影モードであり、従来の一眼レフカメラにおける通常の撮影モードである。
このファインダ撮影モードにおいては、図２に示すように、クイックリターンミラー４は、光路Ｘ内の所定位置に配置されており、被写体光は、ファインダ光学系１９に導かれるので、撮影者等は、ファインダ接眼窓９から被写体像を観察することができる。実際の撮影時には、クイックリターンミラー４が光路Ｘ外に跳ね上げられるとともに、シャッターユニット１０が開かれて撮像センサ１１の撮像面上に被写体像が結像される。
一方、２つ目のモニタ撮影モードにおいては、図３に示すように、クイックリターンミラー４を光路Ｘ内から退避させる。よって、画像表示用液晶モニタ１６には、撮像センサ１１を介して被写体の画像、いわゆるスルー画像が表示される。
【００２６】
（１．４：交換レンズユニットの上面の構成）
図４は、本発明の第１実施形態に係る交換レンズユニット２を取り付けたカメラシステム１００の上面図である。なお、図４に示すように、Ｘ軸、Ｙ軸およびＺ軸をとる（撮像光学系Ｌを構成するレンズの光軸と平行にＺ軸をとる）。
カメラシステム１００は、被写体を撮影する際に撮影者等により支持される筐体を有する。このカメラシステム１００は、レリーズボタン３０と、シャッタースピード設定ダイヤル３１とを含む。レリーズボタン３０と、シャッタースピード設定ダイヤル３１とは、デジタルカメラ本体１の上面の右側に設けられている。
シャッタースピード設定ダイヤル３１は、回転操作することにより、シャッタースピードの設定を行う操作部材である。また、シャッタースピード設定ダイヤル３１は、シャッタースピードが自動設定されるオートの位置を有する。
【００２７】
また、カメラシステム１００本体は、画像表示用液晶モニタ１６を含む。画像表示用液晶モニタ１６は、カメラシステム１００本体の撮影者等側の面に設けられている。画像表示用液晶モニタ１６の作用については後述する。
交換レンズユニット２は、最も被写体側（Ｚ軸方向正側）に、フィルタマウント３７を持つ。交換レンズユニット２は、フィルタマウント３７からカメラシステム１００本体側へ（Ｚ軸の負の方向）向けて順に、ズームリング３８と、フォーカスリング３９と、絞りリング４０とを有する。ズームリング３８と、フォーカスリング３９と、絞りリング４０とは、いずれも円筒状の回転操作部材であり、交換レンズユニット２の外周面において回転可能に配置されている。
（１．５：カメラ本体の背面の構成）
図５は、本発明の第１実施形態に係るカメラシステム１００の背面図である。カメラシステム１００本体は、電源ボタン７０、撮影／再生モード切り替えレバー７１、ＭＥＮＵボタン７２、十字操作キー７３、ＳＥＴボタン７４、及び絞り込みモードボタン７６を含む。
【００２８】
電源ボタン７０は、カメラシステム１００の電源のＯＮ／ＯＦＦを行う操作部材である。撮影／再生モード切り替えレバー７１は、レバーの切り替えを行うことにより、撮影モードと再生モードとの切り替えを行う操作部材である。ここで、撮影モードとは、カメラシステム１００において、被写体を新たに撮影して画像信号にするために設定されるモードである。また、再生モードとは、カメラシステム１００において、既に撮影して格納されている画像信号を表示させるために設定されるモードである。
ＭＥＮＵボタン７２は、画像表示用液晶モニタ１６に、各種操作メニューを表示させるための操作部材である。十字操作キー７３は、上下、左右の矢印キーを有し、各種操作メニューの表示項目を選択するための操作部材である。ＳＥＴボタン７４は、各種操作メニューの表示項目を確定するための操作部材である。
【００２９】
絞り込みボタン７６は、後述する絞り込みモードへ移行させるためのボタンである。カメラシステム１００では、撮影者がこの絞り込みボタン７６を押すことにより、絞り込みモードへと移行される。
（１．６：絞りについて）
絞りリング４０は、円筒形状である。図６（ａ）は、本発明の第１実施形態に係る絞りリングの外周面の展開図、図６（ｂ）は、本発明の第１実施形態に係る絞りリングの内周面の展開図である。
図４および図６（ａ）に示すように、絞りリング４０の外周面には、絞り値が表示されている。絞り値の表示領域は、２つの領域に分かれている。図６（ａ）中、「２」から「１１」までの１ＡＶ（Ａｐｅｒｔｕｒｅ  Ｖａｌｕｅ）ごとの表示部分がマニュアル領域の絞り値に対応する。また、図６（ａ）中、「Ａ」の表示部分がオート領域の絞り値に対応する。図４および図６（ｂ）に示すように、絞りリング４０は、内周面に直線のカム溝４２を持つ。なお、絞り値については、１ＡＶごとの選択に限定されるものではない。
【００３０】
また、交換レンズユニット２は、その内部に絞りユニット２８を有する。絞りユニット２８は、内部に絞り羽根（図示せず）を駆動するための絞り駆動モータ２８ｂを含む。絞り駆動モータ２８ｂは、後述する制御により、絞りリング４０の回転角度に応じて絞り羽根を駆動する。この絞り羽根が駆動されることにより、撮像光学系Ｌの絞り値が変更される。
図７は、本発明の第１実施形態に係る絞りリング４０と絞りリニアセンサ４１との結合を示す部分断面図である。絞りリニアセンサ４１は、絞りリング４０の半径方向外側に突出する円筒形状の摺動子４１ａを含む。絞りリング４０に形成されたカム溝４２は、絞りリニアセンサ４１の摺動子４１ａと結合する。
この絞りリニアセンサ４１は、主に、図８（ａ）に示すように可変抵抗器を有する回路により構成される。図８（ａ）における端子Ｔ２は、図７の摺動子４１ａに接続されており、端子Ｔ２およびＴ３は、図７の絞りリニアセンサの両端部４１ｂおよび４１ｃにそれぞれ接続されている。端子Ｔ１，Ｔ３間に所定の電圧を印可すると、絞りリニアセンサ４１に設けられた円筒状の摺動子４１ａが、絞りリニアセンサ４１内にある磁気抵抗体（図示せず）上をスライドすることにより、端子Ｔ２の出力（出力電圧）は、図８（ｂ）に示すようにリニアに変化する。
【００３１】
図９は、本発明の第１実施形態に係る絞りリング４０の回転角度と絞りリニアセンサ４１の出力値（出力電圧値）との関係を示すグラフである。図４および図６において、絞りリング４０を回転させて、絞りリング４０上の文字「２」が表示されている位置を、指標３３の位置と一致させた場合、絞りリニアセンサ４１の摺動子４１ａは、カム溝４２上のＰの位置にある。その場合、絞りリニアセンサ４１の出力値（出力電圧値）は、Ｐ‘となる。つまり、絞りリング４０上の文字「２」が表示されている位置を指標３３の位置と一致させた場合の絞りリング４０の回転角度に対応する、絞りリニアセンサ４１の出力電圧値は、Ｐ’となる。
同様に、絞りリング４０を回転させて、絞りリング４０上の文字「２．８」、「４」、「５．６」、「８」、「１１」および「Ａ」が表示されている位置を、指標３３の位置と一致させた場合、絞りリニアセンサ４１の摺動子４１ａのカム溝４２上の位置は、それぞれ、Ｑ、Ｒ、Ｓ、Ｔ、ＵおよびＶの位置にある。その場合、絞りリニアセンサ４１の出力値（出力電圧値）は、それぞれ、Ｑ‘、Ｒ’、Ｓ’、Ｔ’、Ｕ’およびＶ’となる。つまり、絞りリング４０上の文字「２．８」、「４」、「５．６」、「８」、「１１」および「Ａ」が表示されている位置を指標３３の位置と一致させた場合の絞りリング４０の回転角度に対応する、絞りリニアセンサ４１の出力電圧値は、それぞれ、Ｑ‘、Ｒ’、Ｓ’、Ｔ’、Ｕ’およびＶ’となる。
【００３２】
このように、絞りリニアセンサ４１は、絞りリング４０の回転角度と一対一で対応する出力（出力電圧値）を示す。したがって、絞りリニアセンサ４１により、絞りリング４０の回転角度を検出することができる。絞りリニアセンサ４１は、回転角度に応じた絞り値信号を電圧変化として出力する。
（１．７：カメラ本体の制御システム）
図１０は、本発明の第１実施形態に係るカメラシステム１００の制御システムを示すブロック図である。
ボディーマイコン１２は、レリーズボタン３０と、シャッタースピード設定ダイヤル３１と、撮影／再生モード切り替えレバー７１と、ＭＥＮＵボタン７２と、十字操作キー７３と、ＳＥＴボタン７４と、撮影モード切り替えボタン７５と、絞り込みモードボタン７６とから信号を受信可能である。また、ボディーマイコン１２は、シャッター制御部１４およびクイックリターンミラー制御部６０へ信号を送信可能である。さらに、ボディーマイコン１２は、ボディーマイコン１２と画像記録制御部１７との間の双方向通信、ボディーマイコン１２と画像表示制御部１５と間の双方向通信、およびボディーマイコン１２とデジタル信号処理部５３との間の双方向通信を行うことができる。また、ボディーマイコン１２は、信号を格納するメモリ６８を持つ。
【００３３】
シャッター制御部１４は、ボディーマイコン１２からの制御信号に基づいてシャッター駆動モータ１０ａを駆動する。クイックリターンミラー制御部６０は、ボディーマイコン１２からの制御信号に基づき、クイックリターンミラー駆動モータ６１を駆動する。
レリーズボタン３０は、ボディーマイコン１２へシャッタータイミングを示す情報を送信する。シャッタースピード設定ダイヤル３１は、設定されたシャッタースピード情報及びシャッターモード情報を送信する。
撮像センサ１１は、ＣＣＤ（Ｃｈａｒｇｅ  Ｃｏｕｐｌｅｄ  Ｄｅｖｉｃｅ）等により構成される。撮像センサ１１は、交換レンズユニット２の撮像光学系Ｌにより形成される光学的な像を電気的な画像信号に変換する。撮像センサ１１は、撮像センサ制御部１３により駆動制御される。撮像センサ１１から出力される画像信号は、アナログ信号処理部５１と、Ａ／Ｄ変換部５２と、デジタル信号処理部５３と、バッファメモリ５４と、画像圧縮部５６とにより、順に処理される。
【００３４】
画像信号は、撮像センサ１１から、アナログ信号処理部５１へ送信される。アナログ信号処理部５１は、撮像センサ１１が出力する画像信号に、ガンマ処理等のアナログ信号処理を施す。アナログ信号処理部５１から出力された画像信号は、Ａ／Ｄ変換部５２へ送信される。Ａ／Ｄ変換部５２は、アナログ信号処理部５１から出力されたアナログ画像信号をデジタル信号に変換する。
Ａ／Ｄ変換部５２から出力された画像信号は、デジタル信号処理部５３へ送信される。デジタル信号処理部５３は、Ａ／Ｄ変換部５２によりデジタル信号に変換された画像信号に対して、ノイズ除去や輪郭強調等のデジタル信号処理を施す。デジタル信号処理部５３から出力された画像信号は、バッファメモリ５４へ送信される。バッファメモリ５４は、デジタル信号処理部５３により処理された画像信号を一旦記憶する。バッファメモリ５４は、ＲＡＭ（Ｒａｎｄｏｍ  Ａｃｃｅｓｓ  Ｍｅｍｏｒｙ）等により構成される。
【００３５】
バッファメモリ５４から出力された画像信号は、画像記録制御部１７からの指令に従って、画像圧縮部５６に送信される。画像圧縮部５６は、画像記録制御部１７の指令に従って画像信号に圧縮処理を行う。画像信号は、この圧縮処理により、元のデータより小さなデータサイズになる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式等が用いられる。
圧縮された画像信号は、画像圧縮部５６から画像記録部１８及び画像表示用液晶モニタ１６へ送信される。一方、ボディーマイコン１２は、画像記録制御部１７及び画像表示制御部１５へ制御信号を送信する。画像記録制御部１７は、ボディーマイコン１２からの制御信号に基づいて画像記録部１８を制御する。画像表示制御部１５は、ボディーマイコン１２からの制御信号に基づいて画像表示用液晶モニタ１６を制御する。
【００３６】
画像記録部１８は、画像記録制御部１７の指令に基づいて、画像信号を内部メモリ及び／又はリムーバブルメモリに記録する。画像記録部１８は、画像記録制御部１７の指令に基づいて、画像信号とともに記憶すべき情報を、内部メモリ及び／又はリムーバブルメモリに記録する。画像信号とともに記憶すべき情報は、画像を撮影した際の日時，焦点距離情報，シャッタースピード情報，絞り値情報および撮影モード情報を含む。
画像表示用液晶モニタ１６は、画像表示制御部１５の指令に基づいて、画像信号を可視画像として表示する。画像表示用液晶モニタ１６は、画像表示制御部１５の指令に基づいて、画像信号とともに表示すべき情報を、表示する。画像信号とともに表示すべき情報は、焦点距離情報，シャッタースピード情報，絞り値情報，撮影モード情報および合焦状態情報の表示を含む。
【００３７】
また、画像表示用液晶モニタ１６は、画像表示制御部１５の指令に基づいて、所定の撮影／再生モードにおいて、撮影者等により設定されるべき設定画面を表示する。
撮影者等が撮影する場合には、電源ボタン７０をＯＮにし、撮影／再生モード切り替えレバー７１を撮影モードに合わせる。これによりカメラシステム１００本体の電源が入り、画像表示用液晶モニタ１６には、撮像センサ１１により電気的な画像信号に変換された被写体が可視画像として、画像表示制御部１５の指令に基づいて表示される。
カメラシステム１００が撮影モードにある状態において、撮影者等がＭＥＮＵボタン７２を押すと、画像表示用液晶モニタ１６は、画像表示制御部１５の指令に基づき、撮影モードにおいて撮影者等により変更可能な設定の項目を、アイコン化した設定メニュー画像として表示する。
【００３８】
（１．８：交換レンズユニットの制御システム）
図１１は、本発明の第１実施形態に係る交換レンズユニット２内の制御システムを示すブロック図である。
レンズマイコン２０は、レンズマイコン２０とズーム制御部６２との間の双方向通信、レンズマイコン２０とフォーカス制御部２６と間の双方向通信、およびレンズマイコン２０と絞り制御部２７との間の双方向通信を行うことができる。
ズーム制御部６２は、ズームリニアセンサ６００から、Ａ／Ｄ変換部６０１を介して、信号を受信可能である。ズーム制御部６２は、ズームリニアセンサ６００により検出されたズームリング３８の回転量を撮像光学系Ｌの焦点距離情報に変換する。ズーム制御部６２は、焦点距離情報をレンズマイコン２０へ送信する。
【００３９】
フォーカス制御部２６は、フォーカスリニアセンサ６３から信号を受信可能であり、Ａ／Ｄ変換部６４を介して、フォーカス駆動モータ６５へ信号を送信可能である。フォーカス制御部２６は、フォーカスリニアセンサ６３により検出され、Ａ／Ｄ変換部６４によりデジタル化されたフォーカスリング３９の回転角度より、フォーカスモードを判断する。フォーカス制御部２６は、判断した結果をレンズマイコン２０へ送信する。フォーカス制御部２６は、レンズマイコン２０からの指令に基づいてフォーカスリング３９の回転角度より検出した物点距離情報を、レンズマイコン２０へ送信する。フォーカス制御部２６は、レンズマイコン２０からの制御信号に基づいてフォーカス駆動モータ６５を駆動する。
絞り制御部２７は、絞りリニアセンサ４１から信号を受信可能であり、Ａ／Ｄ変換部６７を介して、絞り駆動モータ２８ｂへ信号を送信可能である。絞り制御部２７は、絞りリニアセンサ４１により検出され、Ａ／Ｄ変換部６７によりデジタル化された絞りリング４０の回転角度により、絞りモードを判断する。絞り制御部２７は、判断した結果をレンズマイコン２０へ送信する。絞り制御部２７は、レンズマイコン２０からの指令に基づいて絞りリング４０の回転角度より検出した絞り値情報を、レンズマイコン２０に送信する。絞り制御部２７は、レンズマイコン２０からの制御信号に基づいて絞り駆動モータ２８ｂを駆動する。
【００４０】
＜２：カメラシステムの動作＞
（２．１：カメラシステム１００の撮影動作（ファインダ撮影モード））
次に、カメラシステム１００の撮影動作について説明する。まず、図１、図２、図１０および図１１に基づき、撮影者等が、ファインダ接眼窓９を覗いて撮影するファインダ撮影モードにおける駆動シーケンスについて説明する。
撮影者等のレリーズボタン３０の半押し動作により、カメラシステム１００内のボディーマイコン１２および各種ユニットには、電源が供給される。電源供給により起動するカメラシステム１００内のボディーマイコン１２は、同じく電源供給で起動する交換レンズユニット２内のレンズマイコン２０より、レンズマウント２１およびボディーマウント２３を介して、各種レンズデータを受け取り、内蔵するメモリ６８に保存する。次に、ボディーマイコン１２は、焦点検出用ユニット５より、焦点ずれ量（以後、「Ｄｆ量」という）を取得し、そのＤｆ量分、フォーカスレンズ群２５を駆動するようレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動とを繰り返すうち、Ｄｆ量は小さくなり、所定量以下になったときにボディーマイコン１２により合焦と判断され、フォーカスレンズ群２５の駆動が停止される。
【００４１】
この後、ボディーマイコン１２は、撮影者によりレリーズボタン３０が全押しされると、レンズマイコン２０に対して、絞り値を不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部６０により、クイックリターンミラー４を光路Ｘ内から退避させる。クイックリターンミラー４の退避完了後、撮像センサ制御部１３は、撮像センサ１１の駆動を指示し、シャッターユニット１０の動作を指示する。なお、撮像センサ制御部１３は、不図示の測光センサからの出力に基づいて計算されたシャッタースピードの時間だけ、撮像センサ１１を露光する。
露光完了後、撮像センサ制御部１３により撮像センサ１１から読み出された画像データは、所定の画像処理を実行された後、画像表示用液晶モニタ１６に撮影画像として表示される。また、撮像センサ１１から読み出され、所定の画像処理を実行された画像データは、画像読み出し／記録部１８を介して、記憶媒体に画像データとして書き込まれる。また、露光終了後、クイックリターンミラー４とシャッターユニット１０とは、初期位置にリセットされる。ボディーマイコン１２は、レンズマイコン２０へ、絞りを開放位置にリセットするよう指示し、レンズマイコン２０は、各ユニットに対してリセット命令を行う。リセット完了後、レンズマイコン２０は、ボディーマイコン１２にリセット完了を伝える。ボディーマイコン１２は、レンズマイコン２０からのリセット完了情報と露光後の一連処理の完了を待ち、その後、レリーズボタン３０の状態が、押し込みされていない状態であることを確認し、撮影シーケンスを終了させる。
【００４２】
（２．２：モニタ撮影モードの動作）
次に、図１、図３、図１０および図１１に基づき、撮影者等が画像表示用液晶モニタ１６を用いて撮影するモニタ撮影モードにおける駆動シーケンスについて説明する。
画像表示用液晶モニタ１６を用いて撮影する場合、撮影者は、撮影モード切り替えボタン７５を操作して、モニタ撮影モードに設定する。モニタ撮影モードに設定されると、ボディーマイコン１２は、クイックリターンミラー４を光路Ｘ内から退避させる。これにより、被写体からの光が撮像センサ１１に達するので、撮像センサ１１は、撮像センサ１１上に結像される被写体からの光を画像データに変換し、画像データとして取得し、出力することができる。撮像センサ制御部１３により撮像センサ１１から読み出された画像データは、所定の画像処理を実行された後、画像表示用液晶モニタ１６に撮影画像として表示される。このように、撮影画像を画像表示用液晶モニタ１６に表示させることにより、撮影者等は、ファインダ接眼窓９を覗くことなく、被写体を追いかけることが可能となる。
【００４３】
次に、撮影者等のレリーズボタン３０の半押し動作により、カメラシステム１００のボディーマイコン１２は、交換レンズユニット２内のレンズマイコン２０より、レンズマウント２１およびボディーマウント２３を介して、各種レンズデータを受け取り、内蔵するメモリ６８に保存する。次に、ボディーマイコン１２は、クイックリターンミラー制御部６０により、クイックリターンミラー４を光路Ｘ内の所定位置に戻し、焦点検出用ユニット５より、Ｄｆ量を取得し、そのＤｆ量分、フォーカスレンズ群２５を駆動するようにレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動とを繰り返すうち、Ｄｆ量は小さくなり、所定量以下になったときにボディーマイコン１２により合焦と判断され、フォーカスレンズ群２５の駆動が停止される。
【００４４】
この後、ボディーマイコン１２は、撮影者によりレリーズボタン３０が全押しされると、レンズマイコン２０に対して、絞り値を不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部６０により、クイックリターンミラー４を光路Ｘ内から退避させる。クイックリターンミラー４の退避完了後、撮像センサ制御部１３は、撮像センサ１１の駆動を指示し、シャッターユニット１０の動作を指示する。なお、撮像センサ制御部１３は、不図示の測光センサからの出力に基づいて計算されたシャッタースピードの時間だけ、撮像センサ１１を露光する。
露光完了後、撮像センサ制御部１３により撮像センサ１１から読み出された画像データは、所定の画像処理を実行された後、画像表示用液晶モニタ１６に撮影画像として表示される。また、撮像センサ１１から読み出され、所定の画像処理を実行された画像データは、画像読み出し／記録部１８を介して、記憶媒体に画像データとして書き込まれる。また、露光終了後、クイックリターンミラー４は、光路Ｘ内から退避した状態に位置しているので、引き続き、撮影者は、モニタ撮影モードにより、被写体を画像表示用液晶モニタ１６上の撮影画像として見ることができる。
【００４５】
また、モニタ撮影モードを解除する場合には、撮影者が、撮影モード切り替えボタン７５を操作して、通常の撮影モード、すなわち、ファインダ接眼窓９を覗いて撮影するファインダ撮影モードに移行させる。ファインダ撮影モードに移行された場合、クイックリターンミラー４は、光路Ｘ内の所定位置に戻される。また、カメラシステム１００（例えば、一眼レフデジタルカメラ）本体の電源を切断する際にも、クイックリターンミラー４は、光路Ｘ内の所定位置に戻される。
（２．３：カメラシステムの露出設定動作）
次に、図４、図１０を用いて、カメラシステム１００の露出設定動作について説明する。カメラシステム１００は、通常撮影領域に対して自動で露出設定を行うプログラム撮影モードと、シャッタースピードを手動で設定するシャッタースピード優先撮影モードと、絞り値を手動で設定する絞り優先撮影モードと、シャッタースピード及び絞り値を両方とも手動で設定するマニュアル撮影モードとの４つの露出設定モードを持つ。
【００４６】
カメラシステム１００の操作を行う撮影者等は、絞りリング４０を所定の回転角度とシャッタースピード設定ダイヤル３１の回転角度とを組み合わせて設定することにより、４つの露出設定モードを選択することができる。すなわち、撮影者等は、絞りリング４０の文字「Ａ」を指標３３と一致させた状態で、シャッタースピード設定ダイヤル３１をオートの位置に合わせることで、プログラム撮影モードに設定することができる。撮影者等は、絞りリング４０の文字「Ａ」を指標３３と一致させた状態で、シャッタースピード設定ダイヤル３１をマニュアル設定可能な位置に合わせることで、シャッタースピード優先撮影モードに設定することができる。撮影者等は、絞りリング４０の文字「２」〜「１１」のいずれかを指標３３と一致させた状態で、シャッタースピード設定ダイヤル３１をオートの位置に合わせることで、絞り優先撮影モードに設定することができる。撮影者等は、絞りリング４０の文字「２」〜「１１」のいずれかを指標３３と一致させた状態で、シャッタースピード設定ダイヤル３１をマニュアル設定可能な位置に合わせることで、マニュアル撮影モードに設定することができる。
【００４７】
以下、４つの露出設定モードの内、プログラム撮影モードと、シャッタースピード優先撮影モードとを総称してオート絞りモードという。また、以下、絞り優先撮影モードと、マニュアル撮影モードとを総称してマニュアル絞りモードという。
（２．４：オート絞りモードの露出設定動作）
絞りリニアセンサ４１は、回転角度に応じた信号を絞り制御部２７へ出力する。絞りリング４０の文字「Ａ」を指標３３と一致させた状態にあるとき、撮影者によりレリーズボタン３０が操作されると、絞り制御部２７は、絞りリニアセンサ４１から受信した信号に基づいて露出設定モードがオート絞りモードであると判断する。判断した結果は、レンズマイコン２０およびボディーマイコン１２へ送信される（ボディーマイコン１２への送信は、レンズマイコン２０とボディーマイコン１２とのマイコン間通信を介して行われる。）。
【００４８】
また、シャッタースピード設定ダイヤル３１は、回転角度に応じた信号をボディーマイコン１２へ出力する。ボディーマイコン１２は、絞り制御部２７から受信した判断結果と、シャッタースピード設定ダイヤル３１からの信号とに基づいて、露出設定モードがオート絞りモードであることを認識する。
ボディーマイコン１２は、デジタル信号処理部５３へ指令を送信する。デジタル信号処理部５３は、受信した指令に基づいて所定のタイミングで画像信号をボディーマイコン１２へ送信する。ボディーマイコン１２は、受信した画像信号に基づいて露出値を演算する。ボディーマイコン１２は、露出設定モードがプログラム撮影モードである場合、調整可能な絞り値とシャッタースピードとから適切な組み合わせを演算する。ボディーマイコン１２は、露出設定モードがシャッタースピード優先撮影モードである場合、設定されたシャッタースピードに対する適切な絞り値を演算する。
【００４９】
ボディーマイコン１２は、演算結果に基づいて制御信号を生成する。ボディーマイコン１２は、演算された絞り値に基づく制御信号を、交換レンズユニット２側のレンズマイコン２０を介して絞り制御部２７へ送信する。ボディーマイコン１２は、露出設定モードがプログラム撮影モードである場合、演算されたシャッタースピードに基づく制御信号をシャッター制御部１４へ送信する。ボディーマイコン１２は、露出設定モードがシャッタースピード優先撮影モードである場合、シャッタースピード設定ダイヤル３１により設定されたシャッタースピードについての情報をシャッター制御部１４へ送信する。
併せて、ボディーマイコン１２は、画像表示制御部１５に制御信号を送信する。画像表示制御部１５は、画像表示用液晶モニタ１６を駆動する。画像表示用液晶モニタ１６は、制御信号の内容がプログラム撮影モードを指示するものであるとき、露出設定モードがプログラム撮影モードである旨の表示を行う。画像表示用液晶モニタ１６、制御信号の内容がシャッタースピード優先撮影モードを指示するものであるとき、露出設定モードがシャッタースピード優先撮影モードである旨の表示を行う。
【００５０】
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動される。
シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａの駆動により、シャッターユニット１０が駆動される。
以上のようにして、カメラシステム１００のオート絞りモードによる露出設定が行われる。以上の動作は、撮影者等のレリーズボタン３０の操作後、瞬時に実行される。
ボディーマイコン１２は、撮影が終了すると、画像記録制御部１７に制御信号を送信する。画像記録部１８は、画像記録制御部１７の指令に基づいて、画像信号を内部メモリ及び／又はリムーバブルメモリに記録する。
【００５１】
画像記録部１８は、画像記録制御部１７の指令に基づいて、制御信号の内容がプログラム撮影モードを指示するものであるとき、画像信号とともに露出設定モードがプログラム撮影モードである旨の情報を内部メモリ及び／又はリムーバブルメモリに記録する。画像記録部１８は、画像記録制御部１７の指令に基づいて、制御信号の内容がシャッタースピード優先撮影モードを指示するものであるとき、画像信号とともに露出設定モードがシャッタースピード優先撮影モードである旨の情報を内部メモリ及び／又はリムーバブルメモリに記録する。
（２．５：マニュアル絞りモードの露出設定動作）
次に、絞りリング４０の文字「２」〜「１１」のいずれかの位置を指標３３と一致させた状態にあるとき、撮影者によりレリーズボタン３０が操作されると、絞り制御部２７は、絞りリニアセンサ４１から受信した信号に基づいて露出設定モードがマニュアル絞りモードであると判断する。判断した結果は、レンズマイコン２０へ送信される。また、シャッタースピード設定ダイヤル３１は、回転角度に応じた信号をボディーマイコン１２へ出力する。
【００５２】
ボディーマイコン１２は、絞り制御部２７から受信した判断結果と、シャッタースピード設定ダイヤル３１からの信号とに基づいて、露出設定モードがマニュアル絞りモードであることを認識する。
レンズマイコン２０は、絞り制御部２７に対して、絞りリング４０の回転角度より検出した絞り値情報を要求する。絞り制御部２７は、レンズマイコン２０からの指令に基づいて絞りリング４０の回転角度より検出した絞り値情報を、レンズマイコン２０およびボディーマイコン１２へ送信する（ボディーマイコン１２への送信は、レンズマイコン２０とボディーマイコン１２とのマイコン間通信を介して行われる。）。ボディーマイコン１２は、露出設定モードが絞り優先撮影モードである場合、デジタル信号処理部５３へ指令を送信する。デジタル信号処理部５３は、受信した指令に基づいて所定のタイミングで画像信号をボディーマイコン１２へ送信する。
【００５３】
ボディーマイコン１２は、露出設定モードが絞り優先撮影モードである場合、受信した画像信号に基づいてシャッタースピードを演算する。ボディーマイコン１２は、露出設定モードが絞り優先撮影モードである場合、検出された絞り値に対する適切なシャッタースピードを演算する。ボディーマイコン１２は、露出設定モードが絞り優先撮影モードである場合、演算結果に基づいて制御信号を生成する。ボディーマイコン１２は、露出設定モードが絞り優先撮影モードである場合、演算されたシャッタースピードに基づく制御信号をシャッター制御部１４へ送信する。ボディーマイコン１２は、露出設定モードがマニュアル撮影モードである場合、シャッタースピード設定ダイヤル３１により設定されたシャッタースピードについての情報をシャッター制御部１４へ送信する。
併せて、ボディーマイコン１２は、画像表示制御部１５に制御信号を送信する。画像表示制御部１５は、画像表示用液晶モニタ１６を駆動する。画像表示用液晶モニタ１６は、制御信号の内容が絞り優先撮影モードを指示するものであるとき、露出設定モードが絞り優先撮影モードである旨の表示を行う。画像表示用液晶モニタ１６は、制御信号の内容がマニュアル撮影モードを指示するものであるとき、露出設定モードがマニュアル撮影モードである旨の表示を行う。
【００５４】
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動される。シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａの駆動により、シャッターユニット１０が駆動される。
以上のようにして、カメラシステム１００のマニュアル絞りモードによる露出設定が行われる。以上の動作は、撮影者等のレリーズボタン３０の操作後、瞬時に実行される。
ボディーマイコン１２は、撮影が終了すると、画像記録制御部１７に制御信号を送信する。画像記録部１８は、画像記録制御部１７の指令に基づいて、画像信号を内部メモリ及び／又はリムーバブルメモリに記録する。
【００５５】
画像記録部１８は、画像記録制御部１７の指令に基づいて、制御信号の内容が絞り優先モードを指示するものであるとき、画像信号とともに露出設定モードが絞り優先モードである旨の情報を内部メモリ及び／又はリムーバブルメモリに記録する。画像記録部１８は、画像記録制御部１７の指令に基づいて、制御信号の内容がマニュアル撮影モードを指示するものであるとき、画像信号とともに露出設定モードがマニュアル撮影モードである旨の情報を内部メモリ及び／又はリムーバブルメモリに記録する。
（２．６：絞り込みモードの動作）
次に、本発明の第１実施形態に係る絞り込みモードについて説明する。
カメラシステム１００において被写界深度の確認は、画像表示用液晶モニタ１６を見ることにより行われる。このとき、画像表示用液晶モニタ１６には、絞りユニット２８を本撮影の際の絞り値に即した画像（以下、「実絞りライブビュー画像」という。）が表示される。この実絞りライブビュー画像を画像表示用液晶モニタ１６に表示させるため、絞り込みモードボタン７６を押すと、図３に示すように、撮影モードは、自動的にモニタ撮影モードに移行される。このようにモニタ撮影モードに移行されることにより、本撮影の際の絞り値に即した実絞りライブビュー画像を画像表示用液晶モニタ１６にて表示させることが可能となり、被写界深度の確認を容易に行うことができる。
【００５６】
この絞り込みモードにおいて、レンズマイコン２０は、絞り制御部２７に対して、絞りリング４０の回転角度より検出した絞り値情報を要求する。絞り制御部２７は、レンズマイコン２０からの指令に基づいて絞りリング４０の回転角度より検出した絞り値情報を、レンズマイコン２０およびボディーマイコン１２へ送信する（ボディーマイコン１２への送信は、レンズマイコン２０とボディーマイコン１２とのマイコン間通信を介して行われる。）。絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動される。
（２．７：絞り込みモードの具体的動作１）
次に、絞り込みモードにおける具体的な動作（以下、「具体的動作１」という。）について、図１２に示すフローチャートを用いて説明する。
【００５７】
カメラシステム１００のボディーマイコン１２は、絞り込みモードボタン７６が押されたかどうかを判断する（ステップＳ１）。絞り込みモードボタン７６が押された場合には、絞り込みモードに移行させ、クイックリターンミラー制御部６０は、図３に示すように、クイックリターンミラー４を光路Ｘ外に退避させ、撮像センサ１１の動作を開始させる（ステップＳ２）。次に、画像表示制御部１５により、画像表示用液晶モニタ１６上には、撮像センサ１１により得られたライブビュー画像が表示される（ステップＳ３）。このとき、例えば、図１３に示すように、表示領域を左右に分割した画像表示用液晶モニタ１６の表示領域の左側の表示領域Ｒ１３１に、本交換レンズユニット２における最も明るい絞り値（絞りが開放されているときの絞り値）であり、被写界深度の最も浅い、絞り値がＦ２の画像を表示させる。例えば、真ん中に人物像を写した画像である場合、真ん中に写された人物像に対して、背景のぼけた画像が画像表示用液晶モニタ１６の表示領域の左側の表示領域Ｒ１３１に表示されることになる。なお、この画像表示用液晶モニタ１６の左側領域の画像は、バッファメモリ５４により一時的に記憶され、画像表示用液晶モニタ１６に表示された状態を保つ。次に、撮影者等が、絞りリング４０を操作し、所定の絞り値に合わせると（ステップＳ４）、絞り制御部２７は、レンズマイコン２０からの指令に基づいて絞りリング４０の回転角度より検出した絞り情報を検出する（ステップＳ５）。そして、絞り制御部２７は、レンズマイコン２０からの制御信号に基づいて絞り駆動モータ２８ｂを駆動するための駆動信号を生成し、絞り駆動モータ２８ｂの駆動により、絞り羽根が駆動し、所定の絞り値に変更する（ステップＳ６）。このとき、図１３に示すように、画像表示用液晶モニタ１６の表示領域の右側の表示領域Ｒ１３２には、ステップＳ３にて画像表示用液晶モニタ１６の表示領域の左側の表示領域Ｒ１３１に表示された、絞り値がＦ２の画像とともに、絞りリング４０にて設定した、例えば、絞り値がＦ８である画像が同時に表示される（ステップＳ７）。この右側の表示領域Ｒ１３２に表示された画像は、絞り値がＦ８である画像であるので、左側の表示領域Ｒ１３１に表示されたに画像に比べ、真ん中の人物と背景との両方にピントが合った被写界深度が深い画像である。このように、カメラシステム１００では、被写界深度の異なる２つの画像を、画像表示用液晶モニタ１６の表示領域に、同時に並べて表示させることができるので、撮影時に、どの被写界深度の画像を撮影するかを、撮影者が事前に確認することができる。このとき、図１３に示すように、画像表示用液晶モニタ１６の表示領域の左上と右上には、２つの実絞り値が表示され、右側領域に表示されている画像については、絞り値の変更に応じて、その絞り値に対応した画像をライブビュー表示させる。なお、設定する被写界深度については、それぞれ、絞り値がＦ２およびＦ８であるものに限るものではない。そして、レリーズボタン３０が操作されていないことを確認した後（ステップＳ８）（レリーズボタン３０が操作された場合は、後述の連写モードに移行する。）、絞り込みモードボタン７６が解除された否かを判断し（ステップＳ９）、絞り込みモードボタン７６が解除された場合、絞り込みモードを終了させ、図２に示すように、クイックリターンミラー４は、光路Ｘ内の所定位置に戻される（ステップＳ１０）。
【００５８】
以上のように、本第１実施形態のカメラシステム１００によれば、絞り込みモードに設定された場合、クイックリターンミラー４を光路外に退避させて、画像表示用液晶モニタ１６を用いたモニタ撮影モードに、自動的に移行させるので、本撮影の際の絞り値に即した２つの画像、つまり、２つの実絞りライブビュー画像を、画像表示用液晶モニタ１６に同時並行に表示させることができる。このため、被写界深度の異なる画像の比較を行うことができ、どの絞り値にて撮影したら最適かどうかを、撮影者が容易に判断することができる。なお、画像表示用液晶モニタ１６に同時並行に表示させる画像の絞り値は、異なるものにするのが通常であるが、絞り値が同一である２つの画像を同時並行に表示させても当然よい。
（２．８：絞り込みモードの具体的動作２）
次に、上記で説明した絞り込みモードにおける具体的動作１とは別の、絞り込みモードにおける具体的動作（以下、「具体的動作２」）について、図１２および図１４に示すフローチャート図を用いて説明する。なお、具体的動作２において、具体的動作１と同様のものについては、説明を省略する。
【００５９】
図１２に示すフローチャート図において、ステップＳ７が終了した後、図１３に示す左右２つの画像が画像表示用液晶モニタ１６に表示された状態にて、レリーズボタン３０が操作されたか否かを判断し（ステップＳ８）、撮影者により、レリーズボタンが操作された場合、連写モードに移行する。そして、クイックリターンミラー４は、光路Ｘ内の所定位置に戻され（ステップＳ１０１）、合焦動作が実行される（ステップＳ１０２）。次に、クイックリターンミラー４は、光路Ｘ外へ退避し（ステップＳ１０３）、最初に絞り値がＦ２に設定される（ステップＳ１０４）。絞り値がＦ２となるように、絞り羽根が駆動され、絞り値Ｆ２の画像が撮影される（ステップＳ１０５）。続いて、絞り値がＦ８に設定される（ステップＳ１０６）。絞り値がＦ８となるように、絞り羽根が駆動され、絞り値Ｆ８の画像が撮影される（ステップＳ１０７）。以上により、被写体深度の異なる２枚の画像が連写により取得される。連写により取得された２枚の撮影画像は、画像記録制御部１７の指令に基づいて、画像信号データとして、内部メモリ及び／又はリムーバブルメモリに記録される（ステップＳ１０８）。そして、この連写モードが終了すると、図１２のフローチャート図における（ステップＳ２）と（ステップＳ３）との間に移行し、再度絞り込みモードに戻る（図１２および図１４のＢの部分に相当。）。
【００６０】
以上のように、カメラシステム１００によれば、絞り込みモードにおいて、自動的に、クリックリターンミラーを光路外へ退避させ画像表示用液晶モニタ１６を用いたモニタ撮影モードに移行することにより、本撮影の際の絞り値に即した２つの異なる画像、つまり実絞りライブビュー画像を見ながら、同時に（一度の撮影操作で）撮影することができるため、被写界深度の異なる画像の連写を行うことができる。したがって、撮影条件等の設定の簡略化を図ることができるので、撮影者等の撮影の幅を拡げることが可能となる。
［他の実施形態］
前述の実施形態においては、画像表示用液晶モニタ１６上に、被写界深度の異なる２つの画像を並べて表示させたが、その表示形式については、これに限定されるものではない。例えば、図１５に示すように、画像表示用液晶モニタ１６の表示領域Ｒ１３０において、人物像の真ん中で１つの画像を左右２つに分け、左側の表示領域Ｒ１３１には、一時的に記憶した絞り値がＦ２である画像を表示し、右側の表示領域Ｒ１３２には、カメラシステム１００の絞り値の変更に応じて、その絞り値に対応した画像をライブビュー表示させるような方式であっても良い。
【００６１】
また、前述の実施形態においては、絞り値に変更については、交換レンズユニット２に搭載された絞りリングを用いて行ったが、カメラ本体１に搭載されたダイヤルなどを用いて操作してもよい。また、カメラ本体１に搭載されたダイヤルは、絞り値変更の専用ダイヤルでなくとも、他の機能との兼用であってもよい。
また、前述の実施形態においては、画像表示用液晶モニタ１６に表示する画像については、撮像センサ１１を用いて行ったが、別途、第２の撮像センサをファインダ光学系内に配置し、その画像を画像表示用液晶モニタ１６に表示させる方式であっても良い。その場合は、クイックリターンミラー４を、光路Ｘ外へ退避させる必要がない。また、クイックリターンミラー４、並びにファインダ光学系１９の構成、あるいはその配置については、前述の実施形態の構成、配置等に限るものではない。
【００６２】
また、前述の実施形態において、絞り込みモードについては、絞り込みモードボタンを一回押せば移行し、もう一回押せば解除される方式を用いたが、絞り込みモードボタンを押している間のみ、絞り込みモードを継続させるようにしてもよい。
また、前述の実施形態においては、焦点検出動作については、焦点検出用ユニット５を用いたが、撮像センサ１１を用いたＡＦ検波方式であっても良い。この場合、図１４のステップＳ１０１の処理は、不要となる。
また、前述の実施形態においては、２つの絞り値に対応する画像を画像表示用液晶モニタ１６に表示させる場合について説明したが、これに限定されることはなく、例えば、３以上の複数の絞り値に対応する画像を、画像表示用液晶モニタにマルチ画面として表示させるようにしてもよい。このとき、絞りが開放状態である場合の絞り値に対応する画像を常に画像表示用液晶モニタ１６上の特定の表示領域に常に表示させ、その他の表示領域に絞りが開放状態である場合の絞り値以外の絞り値に対応する複数の画像をそれぞれ表示させるようにしてもよい。
【００６３】
また、前述の実施形態においては、撮影時についてのカメラシステム１００の動作について説明したが、例えば、撮影した画像をカメラシステム１００で再生させる、いわゆる再生モードにおいて、画像表示用液晶モニタ１６の表示領域Ｒ１３０上に、異なる絞り値で撮影した画像を左右並べて表示させるようにしてもよい。これにより、撮影者（カメラシステム１００のユーザ）は、絞り値と撮影画像との関連を感覚的に知ることができるので、次に撮影するときの絞り値の参考とすることができる。
また、前述の実施の形態においては、一眼レフカメラについて説明したが、これに限定されることはなく、例えば、コンパクトカメラについて適用してもよい。特に、大きなサイズの撮像素子を有するコンパクトカメラについて適用するとよい。
なお、上記説明に用いた座標軸、方向等は、本発明の使用状態を限定するものではない。
【００６４】
なお、本発明の具体的な構成は、前述の実施形態に限られるものではなく、発明の要旨を逸脱しない範囲で種々の変更および修正が可能である。
［第１付記］
本発明は、次のように表現することも可能である。
＜第１付記の内容＞
（付記１）
撮像光学系と撮像素子との間に配置された可動の反射ミラーを有し、前記反射ミラーによって反射された光を観察する観察光学系を備えた撮像装置であって、
前記反射ミラーを駆動する反射ミラー駆動手段と、
前記撮像光学系を通った光を前記反射ミラーで反射して、前記観察光学系に導くように、前記反射ミラーを第１の状態へ駆動して撮影を行う第１の撮影モードと、
前記撮像光学系を通った光を前記撮像素子へ導くように、前記反射ミラーを第２の状態へ駆動して撮影を行う第２の撮影モードと、
画像を表示する画像表示手段と、
操作されることにより前記撮影光学系が第１の絞り状態へと制御され、前記第２の撮影モードへ移行すると共に、前記撮影素子にて取得された第１の画像データが前記表示手段に表示されるプレビュー操作手段と、
前記光学系の絞り値を変更する絞り変更手段と、
前記プレビュー操作手段が操作された状態にて、前記絞り変更手段を操作することにより前記第１の実絞り状態とは異なる第２の実絞り状態における画像データを、前記第１の絞り状態の画像データと同時に、前記画像表示手段に表示させる画像表示制御手段と、
を備えたことを特徴とする撮像装置。
【００６５】
（付記２）
前記第１の実絞り状態における撮影画像と、前記第２の実絞り状態における撮影画像を記録する画像記録手段を備えたことを特徴とする、
付記１記載の撮像装置。
＜第１付記の説明＞
付記１に記載の発明は、撮像光学系と撮像素子との間に配置された可動の反射ミラーを有し、反射ミラーによって反射された光を観察する観察光学系を備えた撮像装置であって、反射ミラーを駆動する反射ミラー駆動手段と、撮像光学系を通った光を前記反射ミラーで反射して、観察光学系に導くように、反射ミラーを第１の状態へ駆動して撮影を行う第１の撮影モードと、撮像光学系を通った光を撮像素子へ導くように、反射ミラーを第２の状態へ駆動して撮影を行う第２の撮影モードと、画像を表示する画像表示手段と、操作されることにより撮影光学系が第１の絞り状態へと制御され、第２の撮影モードへ移行すると共に、撮影素子にて取得された第１の画像データが前記表示手段に表示されるプレビュー操作手段と、光学系の絞り値を変更する絞り変更手段と、プレビュー操作手段が操作された状態にて、前記絞り変更手段を操作することにより第１の実絞り状態とは異なる第２の実絞り状態における画像データを、前記第１の絞り状態の画像データと同時に、画像表示手段に表示させる画像表示制御手段とを備えたことを特徴とする撮像装置である。
【００６６】
付記２に記載の発明は、第１の実絞り状態における撮影画像と、第２の実絞り状態における撮影画像を記録する画像記録手段を備えたことを特徴とする撮像装置である。
【産業上の利用可能性】
【００６７】
本発明は、一眼レフデジタルカメラにおいて、画像表示用液晶モニタを用いて実絞りライブビュー画像を表示させることができるシステムであり、撮像装置の利便性を拡大するものである。
【図面の簡単な説明】
【００６８】
【図１】本発明の第１実施形態に係る交換レンズユニットとデジタルカメラ本体の制御システムを示すブロック図
【図２】本発明の第１実施形態に係るファインダ撮影モードを説明する概念図
【図３】本発明の第１実施形態に係るモニタ撮影モードを説明する概念図
【図４】本発明の第１実施形態に係るデジタルカメラの上面図
【図５】本発明の第１実施形態に係るデジタルカメラの背面図
【図６】（ａ）は、本発明の第１実施形態に係る絞りリングの外周面の展開図、（ｂ）は、本発明の第１実施形態に係る絞りリングの内周面の展開図
【図７】本発明の第１実施形態に係る絞りリングと絞りリニアセンサの結合を示す部分断面図
【図８】（ａ）は、本発明の第１実施形態のレンズ鏡筒の絞りリニアセンサの回路図、（ｂ）は、本発明の第１実施形態のレンズ鏡筒の絞りリニアセンサの出力を表すグラフ
【図９】本発明の第１実施形態に係る絞りリングの回転角度と絞りリニアセンサの出力値の関係を示すグラフ
【図１０】本発明の第１実施形態に係るデジタルカメラ内の制御システムを示すブロック図
【図１１】本発明の第１実施形態に係る交換レンズユニット内の制御システムを示すブロック
【図１２】本発明の第１実施形態に係る絞り込みモードを説明するフローチャート
【図１３】本発明の第１実施形態に係る画像表示用液晶モニタに実絞りライブビュー画像を示す図
【図１４】本発明の実施の形態２に係る絞り込みモードにおける連写モードを説明するフローチャート
【図１５】本発明の他の実施形態に係る画像表示用液晶モニタに実絞りライブビュー画像を示す図
【符号の説明】
【００６９】
Ｌ  撮像光学系
Ｄｆ  焦点ずれ量
Ｘ  光路
１  デジタルカメラ
２  交換レンズユニット
４  クイックリターンミラー
９  ファインダ接眼窓
１０  シャッターユニット
１１  撮像センサ
１２  ボディーマイコン
１４  シャッター制御部
１５  画像表示制御部
１６  画像表示用液晶モニタ
１８  画像読み出し／記録部（画像記録部）
２０  レンズマイコン
２１  レンズマウント
２３  ボディーマウント
２５  フォーカスレンズ群
２７  絞り制御部
２８  絞りユニット
２８ａ  絞り羽根
２８ｂ  絞り駆動モータ
３０  レリーズボタン
３１  シャッタースピード設定ダイヤル
３３  指標
３８  ズームリング
３９  フォーカスリング
４０  絞りリング
４１  絞りリニアセンサ
６０  クイックリターンミラー制御部
６１  クイックリターンミラー駆動モータ
６２  ズーム制御部
６５  フォーカス駆動モータ
７１  撮影／再生モード切り替えレバー
７２  ＭＥＮＵボタン
７５  撮影モード切り替えボタン
７６  絞り込みモードボタン
【手続補正３】
【補正対象書類名】図面
【補正対象項目名】全図
【補正方法】変更
【補正の内容】
【図１】
2007066629.tif 000018
【図２】
2007066629.tif 000019
【図３】
2007066629.tif 000020
【図４】
2007066629.tif 000021
【図５】
2007066629.tif 000022
【図６】
2007066629.tif 000023
【図７】
2007066629.tif 000024
【図８】
2007066629.tif 000025
【図９】
2007066629.tif 000026
【図１０】
2007066629.tif 000027
【図１１】
2007066629.tif 000028
【図１２】
2007066629.tif 000029
【図１３】
2007066629.tif 000030
【図１４】
2007066629.tif 000031
【図１５】
2007066629.tif 000032
【国際調査報告】
2007066629.tif 000033
2007066629.tif 000034